(57)【要約】  ＮＢ−ＩｏＴページングの共通検索スペース（ＣＳＳ）を決定するための、アイドルモードにおいてユーザ機器（ＵＥ）（３１０）によって実行される方法（１００）が開示される。方法は、周期的サブフレームのセットをページングオケージョン（ＰＯ）サブフレームパターンとして決定すること（１０２）を備える。方法は、無線ネットワーク一時識別子（ＲＮＴＩ）のページングＣＳＳの開始サブフレームを監視すること（１０４）をさらに備える。ページングＣＳＳの開始サブフレームは、ページングオケージョンサブフレームパターンにより規定された第１のサブフレーム（ＳＦ０）が有効なダウンリンクサブフレームであると決定される場合（１０６）に、ＳＦ０が使用される（１０８）ように決定される。ＳＦ０が無効なダウンリンクサブフレームであると決定される場合（１０６）に、ＳＦ０の後の次の有効なダウンリンクサブフレームが使用される（１１０）。【選択図】図３
2019512956.tif 000002
【特許請求の範囲】
【請求項１】
ＮＢ−ＩｏＴページングの共通検索スペース（ＣＳＳ）を決定するための、アイドルモードにおいてユーザ機器（ＵＥ）（３１０）によって実行される方法（１００）であって、
周期的サブフレームのセットをページングオケージョン（ＰＯ）サブフレームパターンとして決定すること（１０２）と、
無線ネットワーク一時識別子（ＲＮＴＩ）のページングＣＳＳの開始サブフレームを監視すること（１０４）とを備え、
ページングＣＳＳの前記開始サブフレームは、
前記ページングオケージョンサブフレームパターンにより規定された第１のサブフレーム（ＳＦ０）が有効なダウンリンクサブフレームであると決定される場合（１０６）に、ＳＦ０を使用する（１０８）ように、および
ＳＦ０が無効なダウンリンクサブフレームであると決定される場合（１０６）に、ＳＦ０の後の次の有効なダウンリンクサブフレームを使用する（１１０）ように決定される方法（１００）。
【請求項２】
前記ＵＥ（３１０）は、
サブフレームが、狭帯域システム情報ブロック１（ＮＢ−ＳＩＢ１）の有効なダウンリンクサブフレームとして指示され、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定する、請求項１に記載の方法（１００）。
【請求項３】
前記ページングオケージョンサブフレームパターンは、サブフレームパターン表に従って決定される、請求項１に記載の方法（１００）。
【請求項４】
ＳＦ０は、前記ページングオケージョンサブフレームパターンによって狭帯域物理データ制御チャネル（ＮＰＤＣＣＨ）反復の開始サブフレームであると規定される、請求項１に記載の方法（１００）。
【請求項５】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項４に記載の方法（１００）。
【請求項６】
前記ＵＥ（３１０）は、ネットワークノードによってブロードキャストされたシステム情報ブロック（ＳＩＢ）メッセージで受信される有効なサブフレームパターンに基づいて、サブフレームが有効なダウンリンクサブフレームであると決定する、請求項１に記載の方法（１００）。
【請求項７】
前記ＵＥ（３１０）は、有効なサブフレームパターンに基づいてサブフレームが有効なダウンリンクサブフレームであると決定し、前記有効なサブフレームパターンは知られているブロードキャストチャネルまたはブロードキャスト信号によって占有されていないサブフレームを備える、請求項１に記載の方法（１００）。
【請求項８】
前記ＵＥ（３１０）は、第１の有効なサブフレームパターンおよび第２の有効なサブフレームパターンに基づいて、サブフレームが有効なダウンリンクサブフレームであると決定し、
前記第１の有効なサブフレームパターンは、ネットワークノードによってブロードキャストされるシステム情報ブロック（ＳＩＢ）メッセージで受信されるダウンリンクサブフレームパターンであり、
前記第２の有効なサブフレームパターンは、知られているブロードキャストチャネルまたはブロードキャスト信号によって占有されていないサブフレームを備える、請求項１に記載の方法（１００）。
【請求項９】
ＮＢ−ＩｏＴページングの共通検索スペース（ＣＳＳ）を決定するための、ネットワークノード（３００）によって実行される方法（２００）であって、
周期的サブフレームのセットをページングオケージョン（ＰＯ）サブフレームパターンとして決定すること（２０２）と、
ページングメッセージをユーザ機器（ＵＥ）に送信すること（２０４）であって、前記ページングメッセージはページングＣＳＳの開始サブフレームから開始する、送信すること（２０４）とを備え、
ページングＣＳＳの前記開始サブフレームは、
前記ページングオケージョンサブフレームパターンにより規定された第１のサブフレーム（ＳＦ０）が、有効なダウンリンクサブフレームであると決定される場合（２０６）に、ＳＦ０を使用する（２０８）ように、および
ＳＦ０が無効なダウンリンクサブフレームであると決定される場合（２０６）に、ＳＦ０の後の次の有効なダウンリンクサブフレームを使用する（２１０）ように決定される方法（２００）。
【請求項１０】
ダウンリンクサブフレームを、狭帯域システム情報ブロック１（ＮＢ−ＳＩＢ１）において有効であると指示することをさらに備え、
前記ネットワークノード（３００）は、前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定する、請求項９に記載の方法（２００）。
【請求項１１】
前記ページングオケージョンサブフレームパターンは、サブフレームパターン表に従って決定される、請求項９に記載の方法（２００）。
【請求項１２】
ＳＦ０は、前記ページングオケージョンサブフレームパターンによって狭帯域物理データ制御チャネル（ＮＰＤＣＣＨ）反復の開始サブフレームであると規定される、請求項９に記載の方法（２００）。
【請求項１３】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項１２に記載の方法（２００）。
【請求項１４】
前記ネットワークノードは、前記ＵＥ（３１０）にブロードキャストされたシステム情報ブロック（ＳＩＢ）メッセージで有効なダウンリンクサブフレームパターンを送信する、請求項９に記載の方法（２００）。
【請求項１５】
アイドルモードで動作する間に、ＮＢ−ＩｏＴページングの共通検索スペース（ＣＳＳ）を決定するように設定されたユーザ機器（ＵＥ）（３１０）であって、
周期的サブフレームのセットをページングオケージョン（ＰＯ）サブフレームパターンとして決定し、
無線ネットワーク一時識別子（ＲＮＴＩ）のページングＣＳＳの開始サブフレームを監視するように設定された処理回路網（３１２）を備え、
ページングＣＳＳの前記開始サブフレームは、
前記ページングオケージョンサブフレームパターンにより規定された第１のサブフレーム（ＳＦ０）が、有効なダウンリンクサブフレームであると決定される場合に、ＳＦ０を使用するように、および
ＳＦ０が無効なダウンリンクサブフレームであると決定される場合に、ＳＦ０の後の次の有効なダウンリンクサブフレームを使用するように決定されるＵＥ（３１０）。
【請求項１６】
前記処理回路網（３１２）は、
サブフレームが、狭帯域システム情報ブロック１（ＮＢ−ＳＩＢ１）の有効なダウンリンクサブフレームとして指示され、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定するように設定される、請求項１５に記載のＵＥ（３１０）。
【請求項１７】
前記ページングオケージョンサブフレームパターンは、サブフレームパターン表に従って決定される、請求項１５に記載のＵＥ（３１０）。
【請求項１８】
ＳＦ０は、前記ページングオケージョンサブフレームパターンによって狭帯域物理データ制御チャネル（ＮＰＤＣＣＨ）反復の開始サブフレームであると規定される、請求項１５に記載のＵＥ（３１０）。
【請求項１９】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項１８に記載のＵＥ（３１０）。
【請求項２０】
前記処理回路網（３１２）は、ネットワークノード（３００）によってブロードキャストされたシステム情報ブロック（ＳＩＢ）メッセージで受信される有効なサブフレームパターンに基づいて、サブフレームが有効なダウンリンクサブフレームであると決定するように設定される、請求項１５に記載のＵＥ（３１０）。
【請求項２１】
前記処理回路網（３１２）は、有効なサブフレームパターンに基づいてサブフレームが有効なダウンリンクサブフレームであると決定するように設定され、前記有効なサブフレームパターンは知られているブロードキャストチャネルまたはブロードキャスト信号によって占有されていないサブフレームを備える、請求項１５に記載のＵＥ（３１０）。
【請求項２２】
前記処理回路網（３１２）は、第１の有効なサブフレームパターンおよび第２の有効なサブフレームパターンに基づいて、サブフレームが有効なダウンリンクサブフレームであると決定するように設定され、
前記第１の有効なサブフレームパターンは、ネットワークノード（３００）によってブロードキャストされるシステム情報ブロック（ＳＩＢ）メッセージで受信されるダウンリンクサブフレームパターンであり、
前記第２の有効なサブフレームパターンは、知られているブロードキャストチャネルまたはブロードキャスト信号によって占有されていないサブフレームを備える、請求項１５に記載のＵＥ（３１０）。
【請求項２３】
ＮＢ−ＩｏＴページングの共通検索スペース（ＣＳＳ）を決定するように設定されたネットワークノード（３００）であって、
周期的サブフレームのセットをページングオケージョン（ＰＯ）サブフレームパターンとして決定し、
ページングメッセージをユーザ機器（ＵＥ）（３１０）に送信し、前記ページングメッセージはページングＣＳＳの開始サブフレームから開始するように設定された処理回路網（３０２）を備え、
ページングＣＳＳの前記開始サブフレームは、
前記ページングオケージョンサブフレームパターンにより規定された第１のサブフレーム（ＳＦ０）が、有効なダウンリンクサブフレームであると決定される場合に、ＳＦ０を使用するように、および
ＳＦ０が無効なダウンリンクサブフレームであると決定される場合に、ＳＦ０の後の次の有効なダウンリンクサブフレームを使用するように決定されるネットワークノード（３００）。
【請求項２４】
前記処理回路網（３０２）は、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定し、
前記サブフレームを、システム情報ブロック１（ＳＩＢ１）の有効なダウンリンクサブフレームとして指示するようにさらに設定される、請求項２３に記載のネットワークノード（３００）。
【請求項２５】
前記ページングオケージョンサブフレームパターンは、サブフレームパターン表に従って決定される、請求項２３に記載のネットワークノード（３００）。
【請求項２６】
ＳＦ０は、前記ページングオケージョンサブフレームパターンによって狭帯域物理データ制御チャネル（ＮＰＤＣＣＨ）反復の開始サブフレームであると規定される、請求項２３に記載のネットワークノード（３００）。
【請求項２７】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項２６に記載のネットワークノード（３００）。
【請求項２８】
前記処理回路網（３０２）は、前記ＵＥ（３１０）にブロードキャストされたシステム情報ブロック（ＳＩＢ）メッセージで有効なサブフレームパターンを送信するようにさらに設定される、請求項２３に記載のネットワークノード（３００）。
【発明の詳細な説明】
【技術分野】
【０００１】
本開示は、概して、ワイヤレス通信に関し、さらに詳細には、狭帯域モノのインターネット（ＮＢ−ＩｏＴ）システムおよびデバイスのページングのための共通検索スペース（ＣＳＳ）を決定することに関する。
【背景技術】
【０００２】
狭帯域モノのインターネット（ＮＢ−ＩｏＴ）は、３ＧＰＰによりセルラーモノのインターネット向けに開発されている狭帯域（１８０ＫＨｚ帯域幅）システムである。システムは、ＬＴＥシステムに基づいており、以下の特性のいずれか１つまたは複数により、最適化されたネットワークアーキテクチャ、および膨大な数のデバイスの改善された屋内カバレッジに対処する。
・  低スループットデバイス（たとえば、２Ｋｂｐｓ）
・  低遅延感応性（たとえば、約１０秒）
・  超低デバイスコスト（たとえば、５ドル未満）
・  低デバイス電力消費（たとえば、１０年のバッテリ寿命）
【０００３】
このシステム内の各セル（たとえば、約１ｋｍ２）が、センサー、メーター、アクチュエーターなどのような、数千もの（たとえば、約５万）ワイヤレスデバイスにサーブすることが想定される。このシステムが、自身のデバイスに良好なカバレッジを提供できることが不可欠であり、そうしたデバイスは、屋内の奥深く、たとえば地階に埋設されていたり、または建物の壁に組み込まれていたりして、バッテリ充電が制限されるかまたは充電の可能性すらないことも多い。多種多様なタイプのデバイスが想定されるが、簡略にするため、デバイスは本文書全体を通じてワイヤレスデバイス（ＷＤ）またはユーザ機器（ＵＥ）と称される。
【０００４】
１つのリファームされたＧＳＭキャリアのみを使用してＮＢ−ＩｏＴを配備して、ＮＢ−ＩｏＴ  ＵＥのより低い製造コストをサポートすることを可能にするため、帯域幅は、複数のサブキャリアに分けられたサイズ１８０ＫＨｚの１つの物理リソースブロック（ＰＲＢ）まで低減されている。
【０００５】
周波数分割複信つまりＦＤＤ（すなわち、送信機および受信機が異なるキャリア周波数で動作する）の場合、ＵＥにおいてサポートされる必要があるのは半二重モードのみである。デバイスのより低い複雑性（たとえば、１つの送信／受信機チェーンのみ）は、通常のカバレッジにおいても一部の反復が必要となることがあることを意味する。さらに、ＵＥの複雑性を軽減するため、作業仮説は、クロスサブフレームスケジューリングを有することである。言い換えれば、送信は、拡張物理ＤＬ制御チャネル（Ｅ−ＰＤＣＣＨ：Ｅｎｈａｎｃｅｄ  Ｐｈｙｓｉｃａｌ  ＤＬ  Ｃｏｎｔｒｏｌ  Ｃｈａｎｎｅｌ、ＮＢ−ＰＤＣＣＨとも称される）で最初にスケジュールされ、次いで物理ＤＬ共有チャネル（ＰＤＳＣＨ：Ｐｈｙｓｉｃａｌ  ＤＬ  Ｓｈａｒｅｄ  Ｃｈａｎｎｅｌ）での実際のデータの最初の送信は、ＮＢ−ＰＤＣＣＨの最後の送信後に実施される。同様に、アップリンク（ＵＬ）データ送信の場合、ネットワークによってスケジュールされＵＬ送信のためにＵＥによって必要とされるリソースに関する情報は、ＮＢ−ＰＤＣＣＨで最初に搬送され、次いで物理ＵＬ共有チャネル（ＰＵＳＣＨ）でのＵＥによる実際のデータの最初の送信は、ＮＢ−ＰＤＣＣＨの最後の送信の後に実施される。言い換えれば、上記の両事例において、ＵＥの観点からは制御チャネルの同時受信およびデータチャネルの受信／送信はない。
【０００６】
以下のテキストは、参照により全体が本明細書に組み込まれる、３ＧＰＰ  ＴＳ３６．３０４のセクション７からの抜粋である。
７．  ページング
７．１  ページングの間欠受信
ＵＥは、電力消費を低減するために、アイドルモードにおいて間欠受信（ＤＲＸ）を使用することができる。１つのページングオケージョン（ＰＯ）は、ページングメッセージをアドレッシングしているＰＤＣＣＨ上で送信されるＰ−ＲＮＴＩがあり得るサブフレームである。１つのページングフレーム（ＰＦ）は、１つの無線フレームであり、無線フレームは１つまたは複数のページングオケージョンを含むことができる。ＤＲＸが使用される場合、ＵＥは、ＤＲＸサイクルごとに１つのＰＯを監視する必要があるだけである。
ＰＦおよびＰＯは、システム情報で提供されるＤＲＸパラメータを使用して以下の数式により決定される。
ＰＦは、以下の式により与えられる。
ＳＦＮ  ｍｏｄ  Ｔ＝（Ｔ  ｄｉｖ  Ｎ）＊（ＵＥ＿ＩＤ  ｍｏｄ  Ｎ）
後段で規定されるサブフレームパターンからのＰＯを指し示しているインデックスｉ＿ｓは、以下の計算から導かれる。
ｉ＿ｓ＝ｆｌｏｏｒ（ＵＥ＿ＩＤ／Ｎ）ｍｏｄ  Ｎｓ
ＵＥに格納されているシステム情報ＤＲＸパラメータは、ＳＩにおいてＤＲＸパラメータ値が変化した場合には必ずＵＥ内でローカルに更新されるものとする。ＵＥがＩＭＳＩを有していない場合、たとえばＵＳＩＭなしで緊急コールを行なう場合、ＵＥは、上記のＰＦおよびｉ＿ｓの数式でデフォルトの識別としてＵＥ＿ＩＤ＝０を使用するものとする。
ＰＦおよびｉ＿ｓの計算には以下のパラメータが使用される。
−  Ｔ：ＵＥのＤＲＸサイクル。Ｔは、上位レイヤによって割り振られる場合、ＵＥ固有のＤＲＸ値と、システム情報でブロードキャストされたデフォルトのＤＲＸ値のうちの最も短いものにより決定される。ＵＥ固有のＤＲＸが上位レイヤによって設定されない場合、デフォルトの値が適用される。
−  ｎＢ：４Ｔ、２Ｔ、Ｔ、Ｔ／２、Ｔ／４、Ｔ／８、Ｔ／１６、Ｔ／３２
−  Ｎ：ｍｉｎ（Ｔ，ｎＢ）
−  Ｎｓ：ｍａｘ（１，ｎＢ／Ｔ）
−  ＵＥ＿ＩＤ：ＩＭＳＩ  ｍｏｄ  １０２４
ＩＭＳＩは、整数型（０．．９）の数字のシーケンスとして与えられ、上記の数式でＩＭＳＩは、１０進整数として解釈されるものとし、シーケンスで与えられる第１の桁は最上位の桁を表す。
たとえば、
ＩＭＳＩ＝１２（ｄｉｇｉｔ１＝１、ｄｉｇｉｔ２＝２）
計算において、この式は、「１×１６＋２＝１８」ではなく、１０進整数「１２」として解釈されるものとする。
７．２  サブフレームパターン
2019512956.tif 000003
2019512956.tif 000004
【発明の概要】
【０００７】
上記の引用から理解され得るように、現在の手法は、ＮＢ−ＩｏＴ  ＵＥに対して不十分なページングオポチュニティを提供する（たとえば、ゼロまたは制限された数のページングオケージョン）。したがって、この状況は、ＮＢ−ＩｏＴ  ＵＥが十分な通信を行なう上で、制限された、または不十分なオポチュニティをもたらす。
【０００８】
本開示において、我々は、ＮＢ−ＩｏＴ  ＵＥのためのページングオケージョン（ＰＯ）、ページングフレーム（ＰＦ）、および共通検索スペース（ＣＳＳ）を決定することにより上記の課題に対処する方法および装置を提案する。それらを決定することで、ＮＢ−ＩｏＴデバイスが通信を行なうためのさらに十分なオポチュニティをもたらす。
【０００９】
本明細書において、ＮＢ−ＩｏＴ  ＵＥのページングオケージョンおよび／またはページングフレームを監視、調整、変更、および／または割り当てるためのさまざまな実施形態が開示される。特定の実施形態によれば、方法および装置は、サブフレームがその他のブロードキャストチャネルまたは信号によって占有される場合に使用するために開示される。追加の実施形態によれば、方法および装置は、インバンド操作のために開示される。追加の実施形態によれば、方法および装置は、スタンドアロンまたはガードバンド操作のために開示される。追加の実施形態によれば、方法および装置は、ＰＯサブフレームパターンを変更することなく有効なサブフレームパターンを使用してページングＣＳＳを決定するために開示される。本明細書において説明されるさまざまな方法は、ワイヤレスデバイス、ＵＥ、ネットワークノード、または装置の何らかの適切な組み合わせにより実行されてもよい。
【００１０】
ワイヤレスデバイスによって実行される方法が開示される。方法は、周期的サブフレームのセットをページングオケージョン（ＰＯ）サブフレームパターンとして決定することと、無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）のページングＣＳＳの開始サブフレームを監視することとを備える。ページングＣＳＳの開始サブフレームは、（ｉ）ページングオケージョンサブフレームパターンにより規定された第１のサブフレーム（ＳＦ０）が有効なダウンリンクサブフレームであると決定される場合に、ＳＦ０が使用される、および（ｉｉ）ＳＦ０が無効なダウンリンクサブフレームであると決定される場合に、ＳＦ０の後の次の有効なダウンリンクサブフレームが使用される、というように決定される。
【００１１】
一部の実施形態において、サブフレームが狭帯域システム情報ブロック１（ＮＢ−ＳＩＢ１）内の有効なダウンリンクサブフレームとして指示され、サブフレームがＮＰＳＳ、ＮＳＳＳ、ＮＰＢＣＨ、およびＮＢ−ＳＩＢ１のいずれも含まない場合に、サブフレームは、有効なダウンリンクサブフレームであると決定される。
【００１２】
さらに、開示されるのはワイヤレスデバイスである。ワイヤレスデバイスは、周期的サブフレームのセットをページングオケージョン（ＰＯ）サブフレームパターンとして決定し、無線ネットワーク一時識別子（ＲＮＴＩ）のページングＣＳＳの開始サブフレームを監視するように設定された処理回路網を備える。ページングＣＳＳの開始サブフレームは、（ｉ）ページングオケージョンサブフレームパターンにより規定された第１のサブフレーム（ＳＦ０）が有効なダウンリンクサブフレームであると決定される場合に、ＳＦ０が使用される、および（ｉｉ）ＳＦ０が無効なダウンリンクサブフレームであると決定される場合に、ＳＦ０の後の次の有効なダウンリンクサブフレームが使用される、というように決定される。ワイヤレスデバイスは、電源をワイヤレスデバイスに供給するように設定された電源回路網をさらに備えることができる。
【００１３】
一部の実施形態において、サブフレームが狭帯域システム情報ブロック１（ＮＢ−ＳＩＢ１）内の有効なダウンリンクサブフレームとして指示され、サブフレームがＮＰＳＳ、ＮＳＳＳ、ＮＰＢＣＨ、およびＮＢ−ＳＩＢ１のいずれも含まない場合に、サブフレームは、有効なダウンリンクサブフレームであると決定される。
【００１４】
アイドルモードで動作する間に、ＮＢ−ＩｏＴページングの共通検索スペース（ＣＳＳ）を決定するための、ユーザ機器（ＵＥ）もまた開示される。ＵＥは、ワイヤレス信号を送るおよび受信するように設定されたアンテナを備える。ＵＥは、アンテナおよび処理回路網に接続され、アンテナと処理回路網の間で通信される信号を調節するように設定された無線フロントエンド回路網をさらに備える。処理回路網は、周期的サブフレームのセットをページングオケージョン（ＰＯ）サブフレームパターンとして決定し、無線ネットワーク一時識別子（ＲＮＴＩ）のページングＣＳＳの開始サブフレームを監視するように設定される。ページングＣＳＳの開始サブフレームは、（ｉ）ページングオケージョンサブフレームパターンにより規定された第１のサブフレーム（ＳＦ０）が有効なダウンリンクサブフレームであると決定される場合に、ＳＦ０が使用される、および（ｉｉ）ＳＦ０が無効なダウンリンクサブフレームであると決定される場合に、ＳＦ０の後の次の有効なダウンリンクサブフレームが使用される、というように決定される。ユーザ機器は、処理回路網に接続され、ＵＥへの情報の入力が処理回路網によって処理され得るように設定された入力インターフェイスと、処理回路網に接続され、処理回路網によって処理された情報をＵＥから出力するように設定された出力インターフェイスとをさらに備える。さらになお、ユーザ機器は、処理回路網に接続され、電源をＵＥに供給するように設定されたバッテリを備える。
【００１５】
一部の実施形態において、サブフレームが狭帯域システム情報ブロック１（ＮＢ−ＳＩＢ１）内の有効なダウンリンクサブフレームとして指示され、サブフレームがＮＰＳＳ、ＮＳＳＳ、ＮＰＢＣＨ、およびＮＢ−ＳＩＢ１のいずれも含まない場合に、サブフレームは、有効なダウンリンクサブフレームであると決定される。
【００１６】
ネットワークノードによって実行される方法もまた開示される。方法は、周期的サブフレームのセットをページングオケージョン（ＰＯ）サブフレームパターンとして決定することと、ページングメッセージをユーザ機器（ＵＥ）に送信することとを備え、ページングメッセージは、ページングＣＳＳの開始サブフレームから開始する。ページングＣＳＳの開始サブフレームは、（ｉ）ページングオケージョンサブフレームパターンにより規定された第１のサブフレーム（ＳＦ０）が有効なダウンリンクサブフレームであると決定される場合に、ＳＦ０が使用される、および（ｉｉ）ＳＦ０が無効なダウンリンクサブフレームであると決定される場合に、ＳＦ０の後の次の有効なダウンリンクサブフレームが使用される、というように決定される。
【００１７】
一部の実施形態において、ネットワークノードは、サブフレームを狭帯域システム情報ブロック１（ＮＢ−ＳＩＢ１）の有効なダウンリンクサブフレームとして指示する。ネットワークノードは、サブフレームがＮＰＳＳ、ＮＳＳＳ、ＮＰＢＣＨ、およびＮＢ−ＳＩＢ１のいずれも含まない場合、サブフレームを有効なダウンリンクサブフレームであると決定する。
【００１８】
ＮＢ−ＩｏＴページングの共通検索スペース（ＣＳＳ）を決定するためのネットワークノードもまた開示される。ネットワークノードは、周期的サブフレームのセットをページングオケージョン（ＰＯ）サブフレームパターンとして決定し、ページングメッセージをユーザ機器（ＵＥ）に送信するように設定された処理回路網を含み、ページングメッセージは、ページングＣＳＳの開始サブフレームから開始する。ページングＣＳＳの開始サブフレームは、（ｉ）ページングオケージョンサブフレームパターンにより規定された第１のサブフレーム（ＳＦ０）が有効なダウンリンクサブフレームであると決定される場合に、ＳＦ０が使用される、および（ｉｉ）ＳＦ０が無効なダウンリンクサブフレームであると決定される場合に、ＳＦ０の後の次の有効なダウンリンクサブフレームが使用される、というように決定される。
【００１９】
一部の実施形態において、ネットワークノードは、サブフレームを狭帯域システム情報ブロック１（ＮＢ−ＳＩＢ１）の有効なダウンリンクサブフレームとして指示する。ネットワークノードは、サブフレームがＮＰＳＳ、ＮＳＳＳ、ＮＰＢＣＨ、およびＮＢ−ＳＩＢ１のいずれも含まない場合、サブフレームを有効なダウンリンクサブフレームであると決定する。
【００２０】
本開示の特定の実施形態は、１つまたは複数の技術的利点を提供することができる。たとえば、一部の実施形態は、有利なことに、ＮＢ−ＩｏＴデバイスが通信を行なうためのさらに十分なオポチュニティをもたらすことができる。一部の実施形態は、ＮＢ−ＩｏＴ送信が、有効なダウンリンクサブフレームパターンに柔軟に適合できるようにする。一部の実施形態は、有利なことに、インバンド操作、スタンドアロン操作、およびガードバンド操作を含む、操作モードにはかかわりなく、ＮＢ−ＩｏＴデバイスの同じページングメカニズムを提供する。さらに、一部の実施形態は、ページングを介して送られるフレームの衝突を回避することができる。その他の利点は、当業者には容易に使用可能となり得る。特定の実施態様は、列挙されている利点を有していないか、利点の一部、または全部を有することができる。
【図面の簡単な説明】
【００２１】
【図１】本開示の特定の実施形態によるユーザ機器によって実行される例示の方法を示すプロセス流れ図である。
【図２】本開示の特定の実施形態によるネットワークノードによって実行される例示の方法を示すプロセス流れ図である。
【図３】本開示の特定の実施形態による例示のワイヤレス通信ネットワークを示す概略図である。
【図４】本開示の特定の実施形態による例示のユーザ機器を示す概略図である。
【発明を実施するための形態】
【００２２】
本明細書において企図される実施形態の一部は、これ以降、添付の図面を参照してさらに詳細に説明される。しかし、その他の実施形態が本開示の範囲内に含まれ、本発明は、本明細書において示される実施形態のみに限定されるものと解釈されるべきではなく、これらの実施形態は、本発明概念の範囲を当業者に伝達するために一例として提供されている。説明全体を通じて、類似する番号は類似する要素を示す。
【００２３】
１．１  他のブロードキャストチャネル／信号によって占有されるサブフレーム
特定の実施形態によれば、他のブロードキャストチャネルまたは信号によって占有されるサブフレームはページングメッセージを妨害することがある。ページング送信は、ページング無線ネットワーク一時識別子（Ｐ−ＲＮＴＩ）に関連付けられている。ページング送信は、２つの変形のいずれかを介して送られ得る。
（ａ）  ＮＢ−ＩｏＴ物理ダウンリンク共有チャネル（ＮＰＤＳＣＨ）を伴わないＮＢ−ＩｏＴ物理ダウンリンク制御チャネル（ＮＰＤＣＣＨ）。この変形は、システム情報（ＳＩ）更新に関して通知するために使用されてもよい。この場合、ＮＰＤＣＣＨによって搬送されるダウンリンク制御情報（ＤＣＩ）は、ＮＰＤＳＣＨのスケジューリング情報を伴わないＳＩ更新があることを指示するフラグを含むことができる。ＮＢ−ＩｏＴ  ＵＥが、地震津波警報システム（ＥＴＷＳ）、セルラーメッセージング警報システム（ＣＭＡＳ：Ｃｅｌｌｕｌａｒ  Ｍｅｓｓａｇｉｎｇ  Ａｌｅｒｔ  Ｓｙｓｔｅｍ）、拡張アクセスバーリング（ＥＡＢ：Ｅｘｔｅｎｄｅｄ  Ａｃｃｅｓｓ  Ｂａｒｒｉｎｇ）、またはさまざまなその他の警報もしくはメッセージをサポートする場合、ＤＣＩは、それらのインジケータも提供することができる。
（ｂ）  対応するＮＰＤＳＣＨを伴うＮＰＤＣＣＨ。この変形は、ページングメッセージを送るために使用されてもよく、ＤＣＩビットはページングメッセージのＮＰＤＳＣＨのスケジューリング情報を搬送する。
【００２４】
ＮＢ−ＩｏＴ操作の場合、サブフレーム｛０、４、５、９｝は、以下のものを含む（ただし、これらに限定されることはない）その他のブロードキャストチャネル／信号によって高密度で占有される。
・  ＮＰＢＣＨ：ＮＰＢＣＨがすべての無線フレームのサブフレーム０においてＰＲＢを完全に占有する。
・  ＮＰＳＳ：ＮＰＳＳは、１０ｍｓの周期性でサブフレーム５において送信される。ＮＰＳＳは、ＮＰＳＳが通常のＣＰに対して生じるサブフレームの、最後の１１個のＯＦＤＭシンボルを使用する。つまり、ＮＰＳＳは、すべての無線フレームでサブフレーム５を要する。
・  ＮＳＳＳ：ＮＳＳＳは、サブフレーム９において送信される。ＮＳＳＳは、ＮＳＳＳが通常のＣＰに対して生じるサブフレームの最後の１１個のＯＦＤＭシンボルを使用する。ＮＳＳＳの周期性は２０ｍｓに設定されている。
・  ＮＳＩＢ１（ＮＢ−ＩｏＴシステム情報ブロック）：ＮＳＩＢ１は、ＮＳＩＢ１を送信している各無線フレーム内のサブフレーム＃４で送信される。ＮＳＩＢ１によって占有される無線フレームは、１６の連続無線フレーム内の１つおきのフレームで生じ、クラスタ１６の無線フレームは｛６４、３２、１６｝無線フレームごとに生じる。
【００２５】
以上のように、これらのブロードキャスト／信号は概して、システム内で動作しているネットワークノードとワイヤレスデバイスの両方に知られているパターンに従って特定のサブフレームで送信される。高密度に占有されたサブフレームを所与として、さまざまなノードおよびデバイスが通信できるように、ページングを送信するために十分な数のオポチュニティを提供する必要がある。ページングのための共通検索スペース（ＣＳＳ）は、ページングのＮＰＤＣＣＨを送信するための鍵である。特定の実施形態によれば、ＵＥは、潜在的なページング送信のためにページングのＣＳＳを監視する。次いで、ページングのＣＳＳの潜在的な開始ポイントは、ページングオケージョン（ＰＯ）に位置合わせされ、ＰＯは所与のＵＥについて規定されてもよい。セル内のＵＥにページングする十分なオポチュニティを有するために、ページングフレーム（ＰＦ）およびページングオケージョン（ＰＯ）の適正な規定が必要である。位置合わせ後、ＵＥは、ページング送信を送ることができる。
【００２６】
１．２  インバンド操作
マルチＰＲＢ操作を含む、すべての操作モードについて、ＵＥはアンカーＰＲＢでページングを受信する。ページングＮＰＤＣＣＨおよびＮＰＤＳＣＨ以外の、複数のタイプのブロードキャストチャネルおよび信号もまた、ＮＰＢＣＨ、ＮＰＳＳ、ＮＳＳＳ、ＮＳＩＢ１、およびその他のＳＩＢ送信を含む、同じＰＲＢ上で生じることがある。
【００２７】
加えて、インバンド操作の場合、ＭＢＳＦＮサブフレームパターンが存在し、従わなければならない。パターンに従うことで、ＮＰＢＣＨ、ＮＰＳＳ、ＮＳＳＳ、ＮＳＩＢ１、ページング開始サブフレームを送信するために、サブフレームを無線フレーム内のＳＦ｛０、４、５、９｝に制限することになる。
【００２８】
したがって、レガジーＬＴＥと比較すると、ページングＣＳＳを開始することができるサブフレームは極めて限られている。
・  ＮＳＩＢ１によって占有されていない無線フレーム内のサブフレーム４
・  ＮＳＳＳによって占有されていない無線フレーム内のサブフレーム９
【００２９】
１．２．１  絶対サブフレームインデックスによる直接の指示
サブフレーム０および５は、もはやページングＣＳＳには使用可能ではない。特定の実施形態によれば、ＦＤＤのページングサブフレームパターンは、表１のように変更されてもよい。
【００３０】
ＮＢ−ＩｏＴ  ＵＥのページングに十分なオポチュニティを提供するため、いくつかのメカニズムが検討される。
１．  十分なページングオポチュニティの数を保持する。たとえば、ＮＳＳＳは多くとも１つおきの無線フレームで送信される。そうすることで、ページングＣＳＳに１つおきの無線フレームの少なくともサブフレーム４を残しておく。
２．  衝突を処理するためのメカニズムを規定する。
ａ．  １つの実施形態において、レガシーＰＦ／ＰＯ計算の結果得られた｛ＰＦ、ＰＯ｝が別のブロードキャスト送信と衝突する場合、ＵＥは、同じＰＯで次の衝突しないＲＦにおいてページングされる。たとえば、ページングオケージョンがＮＳＳＳまたはＮＳＩＢ１送信と衝突する場合、ＵＥは、ＮＳＳＳまたはＮＳＩＢ１を含んでいない次の使用可能な無線フレームにおいてページングされる。この場合、｛ＰＦ、ＰＯ｝は、ＰＦ／ＰＯ計算に従って可能なページングオポチュニティのセットの外部にあってもよい。すなわち、以下のようになる。
ｉ．  ＰＯ＝４によるＰＦがＮＳＳＳ送信と衝突する場合、ＵＥのページングＣＳＳは、次のＳＦＮ：ＰＯ＝４によるＳＦＮ’＝ＳＦＮ＋１（ｍｏｄ  １０２４）で開始し、ここでＳＦＮはＰＦ計算：ＳＦＮ  ｍｏｄ  Ｔ＝（Ｔ  ｄｉｖ  Ｎ）＊（ＵＥ＿ＩＤ  ｍｏｄ  Ｎ）に従う。（ｍｏｄ  １０２４）は、ＳＮＲラップアラウンドを処理するために必要であることに留意されたい。
ｉｉ．  ＰＯ＝９によるＰＦがＮＳＩＢ１送信と衝突する場合、ＵＥのページングＣＳＳは、次のＳＦＮ：ＰＯ＝９によるＳＦＮ’＝ＳＦＮ＋１（ｍｏｄ  １０２４）で開始し、ここでＳＦＮはＰＦ計算：ＳＦＮ  ｍｏｄ  Ｔ＝（Ｔ  ｄｉｖ  Ｎ）＊（ＵＥ＿ＩＤ  ｍｏｄ  Ｎ）に従う。
ｂ．  もう１つの実施形態において、レガシーＰＦ／ＰＯ計算の結果得られた｛ＰＦ、ＰＯ｝が別のブロードキャスト送信（たとえば、ＮＳＩＢ１またはＮＳＳＳ）と衝突する場合、ＵＥは、ＵＥに使用可能な次の衝突しないＰＯにおいてページングされる。次の衝突しないＰＯは、現在の計算されたＰＦ、またはＰＦ計算による後続の使用可能なＰＦにあってもよい。
2019512956.tif 000005
【００３１】
将来のＴＤＤシステムにおけるＮＢ−ＩｏＴについて、類似する方法が衝突に対処するために使用され得ることに留意されたい。すなわち、同じＰＯの次の衝突しない無線フレームまでの遅延、またはＵＥに使用可能な次の使用可能なＰＯまでの遅延である。
【００３２】
１．２．２  有効サブフレームインデックスによる間接の指示
その他の実施形態によれば、レガシーＬＴＥ操作においてページングに使用されない追加のサブフレームが、ＮＢ−ＩｏＴのページングに使用可能にされる。このことは、ページング能力がＮＢ−ＩｏＴにとってボトルネックになる場合に有利となり得る。どのサブフレームがセル内で有効なダウンリンクサブフレームと見なされるかを指示するパラメータが、セル全体を通じてその他の目的ですでにブロードキャストされている場合がある。有効なＤＬサブフレームのセットは、システム情報ブロックにおいてビットマップの形態でシグナリングされ得る。たとえば、ビットマップは、［ｂ（０）、ｂ（１）、．．．ｂ（ｐ−１）］であり、ここでｂ（ｉ）＝０は、期間内のサブフレームｉが無効なＤＬサブフレームであることを指示し、ｂ（ｉ）＝１は、期間内のサブフレームｉが有効なＤＬサブフレームであることを指示する。
【００３３】
このビットマップパラメータが、一部のダウンリンクサブフレームは有効なサブフレームと見なされることを指示する場合、これらのサブフレームがＭＢＳＦＮ送信には使用されることはなく、これらのサブフレームがページングに使用され得ることが仮定されてもよい。
【００３４】
セル固有の有効サブフレームセットを、ビットマップ内のｂ（ｉ）＞１を取ることにより、｛ｖｓｆ（０）、ｖｓｆ（１）、．．．ｖｓｆ（ｍ−１）｝とし、ただしｍはｐ個のサブフレームの期間内の有効なＤＬサブフレームの合計数であり、ｍ＜＝ｐである。次いで、ＰＯは、ｖｓｆの１つまたは複数を使用して規定されてもよい。１つの例は、ｖｓｆが規定される時刻期間ｐにわたりｍ＞＝４のｖｓｆがあると仮定する、表１−１において後段にリストされる。既存のページングオケージョン規定は、無線フレームにわたるが（すなわち１０サブフレーム、これは１０ｍｓと等しい）、ｖｓｆは無線フレームまたはその他の適正な期間にわたり規定されてもよい。ｖｓｆを規定するための標準的な期間は、（ａ）ｐ＝１０、すなわち１０サブフレーム（＝１無線フレーム）、（ｂ）ｐ＝４０、すなわち４０サブフレーム（＝４無線フレーム）である。
【００３５】
ＰＯを規定する際にｖｓｆの概念を使用することで、ｖｓｆを規定する際に考慮されるサブフレームとの衝突を回避することができる。しかし、ｖｓｆを規定する際に考慮されないサブフレームとの衝突は、依然として生じる可能性がある。たとえば、サブフレーム＃９は、ＮＳＳＳがすべての無線フレームにおいてサブフレーム＃９を占有してはいないので、無効なＤＬサブフレームと指定されないこともある。したがって、ページングＣＳＳは、引き続き、ｖｓｆの概念を使用するＮＳＳＳと衝突することがある。したがって、衝突を処理するためのメカニズムを規定することが引き続き必要である。最後のサブセクションにおいて説明されるようなメカニズムが、使用され得る。
2019512956.tif 000006
【００３６】
１．３  スタンドアロンまたはガードバンド操作
１．３．１  ＦＤＤスタンドアロンまたはガードバンド操作
スタンドアロンまたはガードバンド操作の場合、ＮＰＢＣＨ、ＮＰＳＳ、ＮＳＳＳ、およびＮＳＩＢ１により占有されているサブフレームのセットは、前述のように、インバンド操作と同じである。しかし、レガシーＭＢＳＦＮ送信はない。
【００３７】
ゆえに、ＦＤＤシステムのスタンドアロンおよび／またはガードバンド操作に対してページングＣＳＳの処理には少なくとも２つの代替がある。それらの主要な代替のうちの２つは後段において説明されるが、追加の実施形態が使用され得ることが理解されるであろう。
・  代替１。ページングＣＳＳのＰＯに新しいサブフレームを導入しない。この代替において、ページングＣＳＳを開始することができるサブフレームのセットは、ＦＤＤについて引き続き｛０、４、５、９｝である。この場合、インバンド操作においてページングＣＳＳを規定するためのメカニズムと同じメカニズムが、スタンドアロンおよびガードバンド操作に再使用される。
・  代替２。ページングＣＳＳのＰＯに新しいサブフレームを導入する。この代替において、ＰＯの新しいサブフレームパターンが規定される。新しいサブフレームパターンは、絶対サブフレームインデックスによって直接に、または有効なサブフレームインデックスｖｓｆを介して間接的に規定され得る。後段の説明では、絶対サブフレームインデキシングの方法を使用して例示する。
○  １つの例は、サブフレームの完全に新しいセット、たとえば、サブフレーム｛０、４、５、９｝ではなくサブフレーム｛１、２、６、７｝を使用することである。これに応じて、ＰＯ表は、表２のように変更される。
○  もう１つの例は、ＰＯサブフレームのサブセットを置き換えることであるが、既存のＰＯサブフレームの残りのサブフレームを保持することである。たとえば、サブフレーム｛０、５｝はそれぞれ、サブフレーム｛１、６｝に置き換えられるが、サブフレーム｛４、９｝は保持される。これに応じて、ＰＯ表は、表３のように変更される。
2019512956.tif 000007
2019512956.tif 000008
【００３８】
１．３．２  ＴＤＤスタンドアロンまたはガードバンド操作
将来のＴＤＤシステムにおけるＮＢ−ＩｏＴについて、ＰＯのサブフレームパターンにも対処すべきであることに留意されたい。
【００３９】
１．３．２．１  有効なサブフレームパターンをブロードキャストしないＴＤＤ
特定の実施形態によれば、ＴＤＤシステムは、有効なサブフレームパターンをブロードキャストすることなく使用されてもよい。有効なサブフレームパターンがブロードキャストされない場合、すべての既存のＴＤＤ  ＵＬ／ＤＬ設定が考慮されなければ、新しいサブフレームセットは、サブフレーム｛０、１、５、６｝の代わりに規定され得ない。なぜならば、サブフレーム｛０、１、５、６｝は、すべてのＴＤＤ  ＵＬ／ＤＬ設定に共通なＤＬまたはスペシャルサブフレームの唯一のセットであるからである。この場合、代替１のみが可能である。
・  代替１。ページングＣＳＳに新しいＰＯを導入しない。この代替において、ページングＣＳＳを開始することができるサブフレームのセットは、ＴＤＤについて引き続き｛０、１、５、６｝である。この場合、インバンド操作においてページングＣＳＳを規定するためのメカニズムと同じメカニズムが、スタンドアロンおよびガードバンド操作に再使用される。レガシーＰＦ／ＰＯ計算の結果得られた｛ＰＦ、ＰＯ｝がＮＳＳＳまたはＮＳＩＢ１送信と衝突する場合、ＵＥは、ＮＳＳＳまたはＮＳＩＢ１を含んでいない次の使用可能な無線フレームにおいてページングされる。
【００４０】
これに反して、すべての既存のＴＤＤ  ＵＬ／ＤＬ設定のサブセットのみが考慮される場合、より多くのＤＬまたはスペシャルサブフレームが使用可能となり得る。たとえば、ＵＬ／ＤＬ設定１および２のみがＮＢ−ＩｏＴについてサポートされる場合、両方に共通なＤＬまたはスペシャルサブフレームのセットは、サブフレーム｛０、１、４、５、６、９｝である。この場合、代替１は使用され得る。加えて、代替２もまた可能である。すなわち、以下のようになる。
・  代替２。ページングＣＳＳに１つまたは複数の新しいＰＯを導入する。たとえば、既存のＰＯサブフレームのサブセットを新しいＰＯサブフレームで置き換えるが、既存のＰＯサブフレームの残りのサブフレームを保持する。たとえば、サブフレーム｛０、５｝はそれぞれ、サブフレーム｛４、９｝に置き換えられるが、サブフレーム｛１、６｝は保持される。この置き換えは表５に示される。
2019512956.tif 000009
2019512956.tif 000010
【００４１】
１．３．２．２  有効サブフレームパターンをブロードキャストするＴＤＤ
有効なサブフレームパターンがセル全体にブロードキャストされる場合、ｖｓｆはＴＤＤのサブフレームパターンを規定するために使用され得る。表１−１と類似する表が、ＴＤＤ用に構築されてもよい。一例を表６として後段に示す。
2019512956.tif 000011
【００４２】
１．４  ＰＯサブフレームパターンを変更することなく有効なサブフレームパターンを使用してページングＣＳＳを決定する
追加の実施形態によれば、ページングＣＳＳのサブフレームは、ページングサブフレームルックアップテーブルを変更することなく有効なＤＬサブフレームパターンを使用して決定され得る。すなわち、レガシーシステムと同様に、サブフレームパターン表、ＦＤＤの場合は表０−１およびＴＤＤの場合は表０−２、が使用される。これらの実施形態の利点は、ページングオポチュニティの合計数が低減されないことである。
【００４３】
ページングＣＳＳの開始サブフレームは、｛ＰＦ、ＰＯ｝および有効なＤＬサブフレームパターンによって決定される。
・  ＰＦおよびＰＯによって決定されたサブフレームｓｆ０が有効なＤＬサブフレームである場合、ｓｆ０は、｛ＰＦ、ＰＯ｝のこのセットのページングＣＳＳの開始サブフレームである。
・  ＰＦおよびＰＯによって決定されたサブフレームｓｆ０が有効なＤＬサブフレームではない場合、ｓｆ０の後に来る最初の有効なサブフレームが、｛ＰＦ、ＰＯ｝のこのセットのページングＣＳＳの開始サブフレームである。
【００４４】
たとえば、
・  ｛ＰＦ、ＰＯ｝が、所与のＳＦＮにおいてＮＳＳＳによって占有されるサブフレーム＃９を指し示す場合、対応するページングＣＳＳの開始サブフレームは、次の有効なＤＬサブフレーム、たとえば次の無線フレームのサブフレーム＃１まで遅延される。
・  ｛ＰＦ、ＰＯ｝が、所与のＳＦＮにおいてＮＳＳＳによって占有されないサブフレーム＃９を指し示す場合、対応するページングＣＳＳの開始サブフレームは、サブフレーム＃９である。
【００４５】
加えて、ページングＣＳＳは、有効なサブフレームにわたり規定され、ここでページングＮＰＤＣＣＨ候補は、有効なサブフレームを介してのみ送信される。つまり、ページングＮＰＤＣＣＨの反復が無効なサブフレームに達する場合、反復は、次の有効なサブフレームまで遅延される。
【００４６】
１つの方法において、有効なサブフレームパターンＶＳＦａ（または無効なサブフレームパターン）は、ＳＩＢを介してｅＮＢによってブロードキャストされる有効なＤＬパターンである。
【００４７】
もう１つの方法において、ページングの無効なサブフレームパターンは、ブロードキャストを介してシグナリングされるのではなく、ＮＰＢＣＨ／ＮＰＳＳ／ＮＳＳＳ／ＮＳＩＢ１のような、知られているブロードキャストチャネル／信号によって占有されたサブフレームの集合体から成る。次いで、有効なサブフレームパターンＶＳＦｂは、ＮＰＢＣＨ／ＮＰＳＳ／ＮＳＳＳ／ＮＳＩＢ１のような、知られているブロードキャストチャネル／信号によって占有されていないサブフレームから成る。
【００４８】
さらにもう１つの方法において、有効なサブフレームパターンは、ＶＳＦａとＶＳＦｂの複合である。つまり、サブフレームは、ＶＳＦａにおいて有効なサブフレームであり、かつＶＳＦｂにおいて有効なサブフレームである場合に限り、有効なサブフレームであると見なされる。
【００４９】
特定の実施形態によれば、上記の解決策は、図１に示されるように、ユーザ機器によって実行される方法において実施されてもよい。
【００５０】
図１は、ＮＢ−ＩｏＴページングの共通検索スペース（ＣＳＳ）を決定するために、アイドルモードで動作する、ユーザ機器（ＵＥ）によって実行される方法１００を開示する。方法は、ステップ１０２で開始し、ここでユーザ機器は、周期的サブフレームのセットをページングオケージョン（ＰＯ）サブフレームパターンとして決定する。このＰＯサブフレームパターンは、場合によっては｛ＰＦ、ＰＯ｝と称されるが、サブフレームパターン表の使用を含む（ただしこれに限定されることはない）、さまざまな方式で決定されてもよい。ここでＰＦは、ページングフレームを示す。そのような表は、３ＧＰＰ  ＴＳ３６．３０４のセクション７のような、既存の標準によって規定されてもよい。特定の実施形態によれば、この表は、上記の表０−１および表０−２に示される表であってもよい。
【００５１】
どのようにＰＯサブフレームパターンが決定されるかにはかかわりなく、ステップ１０４において、ユーザ機器は、無線ネットワーク一時識別子（ＲＮＴＩ）のページングＣＳＳの開始サブフレームを監視する。しかし、その他の適切な識別子が使用されてもよい。ステップ１０６において、ＰＯサブフレームパターンによって規定された第１のサブフレーム（ＳＦ０）が有効なダウンリンクサブフレームであるかどうかが決定される。この決定は、さまざまな方式で行なわれてもよい。
【００５２】
特定の実施形態によれば、ＵＥは、サブフレームがネットワークノードから受信された狭帯域ＳＩＢ１の有効なダウンリンクサブフレームとして指示される場合、サブフレームが有効なダウンリンクサブフレームであると決定する。３ＧＰＰ  ＴＳ３６．３３１において、このＮＢ−ＳＩＢ１は、「ＳｙｓｔｅｍＩｎｆｏｒｍａｔｉｏｎＢｌｏｃｋＴｙｐｅ１−ＮＢ」と称されてもよい。ＵＥはまた、サブフレームがＮＰＳＳ、ＮＳＳＳ、ＮＰＢＣＨ、およびＮＢ−ＳＩＢ１を含む（ただしこれらに限定されない）任意の知られているブロードキャストチャネルまたは信号を含まない場合、サブフレームが有効なダウンリンクサブフレームであると決定することができる。ＵＥはまた、サブフレームが有効なサブフレームパターンに含まれる場合、サブフレームが有効なダウンリンクサブフレームであると決定することができる。そのような有効なサブフレームパターンは、ネットワークノードによってブロードキャストされるＳＩＢメッセージで受信されてもよい。これは、３ＧＰＰ  ＴＳ３６．３３１および３６．２１３において称されるように「ｄｏｗｎｌｉｎｋＢｉｔｍａｐＮＢ」であってもよい。有効なサブフレームパターンはまた、知られているブロードキャストチャネルまたはブロードキャスト信号によって占有されていないサブフレームを含むこともできる。ＵＥはまた、これらの有効なサブフレームパターンの組み合わせに基づいて、サブフレームが有効なダウンリンクサブフレームであると決定することができる。
【００５３】
特定の実施形態によれば、ＵＥは、上記で説明される基準のいずれかの、単独またはその任意の許容可能な組み合わせに基づいて、有効なダウンリンクサブフレームのこの決定を行なうことができる。ステップ１０８において、有効なサブフレームであると決定される場合、ＳＦ０は、ページングＣＳＳの開始サブフレームとして使用される。ステップ１１０において、ＳＦ０が有効なサブフレームではない場合、ＳＦ０の後の次の有効なダウンリンクサブフレームがページングＣＳＳの開始サブフレームとして使用される。特定の実施形態によれば、ＳＦ０は、狭帯域物理データ制御チャネル（ＮＰＤＣＣＨ）反復の開始サブフレームであると規定されてもよい。この規定は、ページングオケージョンサブフレームパターンに含まれてもよい。追加の実施形態によれば、ＣＳＳは、有効なダウンリンクサブフレーム上でのみ規定されてもよい。これらの実施形態の下、ＮＰＤＣＣＨの反復が無効なダウンリンクサブフレームと重複する場合、反復は、次の有効なダウンリンクサブフレームまで遅延されてもよい。
【００５４】
特定の実施形態によれば、本明細書において提案される解決策はまた、図２に示されるように、ネットワークノードによって実行される方法において実施されてもよい。
【００５５】
図２は、ＮＢ−ＩｏＴページングの共通検索スペース（ＣＳＳ）を決定するためのネットワークノードによって実行される方法２００を開示する。方法は、ステップ２０２で開始し、ここでネットワークノードは、周期的サブフレームのセットをページングオケージョン（ＰＯ）サブフレームパターンとして決定する。このＰＯサブフレームパターンは、場合によっては｛ＰＦ、ＰＯ｝と称されるが、サブフレームパターン表の使用を含む（ただしこれに限定されることはない）、さまざまな方式で決定されてもよい。そのような表は、３ＧＰＰ  ＴＳ３６．３０４のセクション７のような、既存の標準によって規定されてもよい。特定の実施形態によれば、この表は、上記の表０−１および表０−２に示される表であってもよい。
【００５６】
どのようにＰＯサブフレームパターンが決定されるかにはかかわりなく、ステップ２０４において、ネットワークノードは、ページングメッセージをユーザ機器に送信し、ページングメッセージはページングＣＳＳの開始サブフレームから開始する。ステップ２０６において、ＰＯサブフレームパターンによって規定された第１のサブフレーム（ＳＦ０）が有効なダウンリンクサブフレームであるかどうかが決定される。この決定は、さまざまな方式で行なわれてもよい。
【００５７】
特定の実施形態によれば、ネットワークノードは、サブフレームがＮＰＳＳ、ＮＳＳＳ、ＮＰＢＣＨ、およびＮＢ−ＳＩＢ１を含む（ただしこれらに限定されない）任意の知られているブロードキャストチャネルまたは信号を含まない場合、サブフレームが有効なダウンリンクサブフレームであると決定する。ネットワークノードはまた、サブフレームが有効なサブフレームパターンに含まれる場合、サブフレームが有効なダウンリンクサブフレームであると決定することができる。有効なダウンリンクサブフレームの指示は、個々のサブフレームが有効であるという指示、または有効なサブフレームパターンの形態のいずれかで、ユーザ機器に送信されるＳＩＢ１において提供されてもよい。有効なサブフレームパターンはまた、知られているブロードキャストチャネルまたはブロードキャスト信号によって占有されていないサブフレームを含むこともできる。
【００５８】
特定の実施形態によれば、ネットワークノードは、上記で説明される基準のいずれかの、単独またはその任意の許容可能な組み合わせに基づいて、有効なダウンリンクサブフレームのこの決定を行なうことができる。ステップ２０８において、有効なサブフレームであると決定される場合、ＳＦ０は、ページングＣＳＳの開始サブフレームとして使用される。ステップ２１０において、ＳＦ０が有効なサブフレームではない場合、ＳＦ０の後の次の有効なダウンリンクサブフレームがページングＣＳＳの開始サブフレームとして使用される。特定の実施形態によれば、ＳＦ０は、狭帯域物理データ制御チャネル（ＮＰＤＣＣＨ）反復の開始サブフレームであると規定されてもよい。この規定は、ページングオケージョンサブフレームパターンに含まれてもよい。追加の実施形態によれば、ＣＳＳは、有効なダウンリンクサブフレーム上でのみ規定されてもよい。これらの実施形態の下、ＮＰＤＣＣＨの反復が無効なダウンリンクサブフレームと重複する場合、反復は、次の有効なダウンリンクサブフレームまで遅延されてもよい。
【００５９】
上記で説明される解決策は、任意の適切なコンポーネントを使用する任意の適正なタイプのシステムにおいて実施されてもよいが、説明される解決策の特定の実施形態は、図３に示される例示のワイヤレス通信ネットワークのようなワイヤレスネットワークにおいて実施されてもよい。図３の例示の実施形態において、ワイヤレス通信ネットワークは、１つまたは複数のユーザ機器に通信およびその他のタイプのサービスを提供する。示されている実施形態において、ワイヤレス通信ネットワークは、ワイヤレス通信ネットワークによって提供されるサービスへのユーザ機器のアクセスおよび／またはそのサービスの使用を容易にするネットワークノードの１つまたは複数のインスタンスを含む。ワイヤレス通信ネットワークは、ユーザ機器間、またはワイヤレスデバイスと固定電話のような別の通信デバイスの間の通信をサポートするのに適切な任意の追加の要素をさらに含むことができる。
【００６０】
ネットワーク３２０は、１つまたは複数のＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤドネットワーク、ワイヤレスネットワーク、大都市圏ネットワーク、およびデバイス間の通信を可能にするその他のネットワークを備えることができる。
【００６１】
ワイヤレス通信ネットワークは、任意のタイプの通信、電気通信、データ、セルラー、および／または無線ネットワークまたはその他のタイプのシステムを表すことができる。特定の実施形態において、ワイヤレス通信ネットワークは、固有の標準またはその他のタイプの事前規定済みのルールもしくは手順に従って動作するように設定されてもよい。したがって、ワイヤレス通信ネットワークの特定の実施形態は、Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、Ｌｏｎｇ  Ｔｅｒｍ  Ｅｖｏｌｕｔｉｏｎ（ＬＴＥ）、および／もしくはその他の適切な２Ｇ、３Ｇ、４Ｇ、もしくは５Ｇ標準のような通信標準、ＩＥＥＥ８０２．１１標準のようなワイヤレスローカルエリアネットワーク（ＷＬＡＮ）標準、ならびに／またはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、ブルートゥース、および／もしくはＺｉｇＢｅｅ標準のような任意の他の適正なワイヤレス通信標準を実施することができる。
【００６２】
図３は、特定の実施形態による、ネットワークノード３００およびユーザ機器（ＵＥ）３１０のさらに詳細なビューを備えるワイヤレスネットワークを示す。簡略にするため、図３は、ネットワーク３２０、ネットワークノード３００および３００ａ、ならびにＵＥ３１０のみを示す。ネットワークノード３００は、プロセッサ３０２、ストレージ３０３、インターフェイス３０１、およびアンテナ３０１ａを備える。同様に、ＵＥ３１０は、３１２、プロセッサ３１２、ストレージ３１３、インターフェイス３１１、およびアンテナ３１１ａを備える。これらのコンポーネントは、ワイヤレスネットワーク、ならびに図１および図２において上記で説明される実施形態においてワイヤレス接続を提供することのような、ネットワークノードおよび／またはユーザ機器の機能を提供するために協働することができる。さまざまな実施形態において、ワイヤレスネットワークは、任意の数のワイヤドもしくはワイヤレスネットワーク、ネットワークノード、基地局、コントローラ、ユーザ機器、リレーステーション、ならびに／またはワイヤドもしくはワイヤレス接続のいずれを介するかにかかわらずデータおよび／もしくは信号の通信を容易にするかもしくはその通信に参加することができる任意の他のコンポーネントを備えることができる。
【００６３】
本明細書において使用される、「ネットワークノード」は、ユーザ機器と、ならびに／またはユーザ機器へのワイヤレスアクセスを可能化および／もしくは提供するワイヤレス通信ネットワークにおいてその他の機器と、直接または間接的に通信するように、能力を備え、設定され、配列され、および／または動作可能な機器を示す。ネットワークノードの例は、アクセスポイント（ＡＰ）、特に無線アクセスポイントを含むが、これらに限定されることはない。ネットワークノードは、無線基地局のような、基地局（ＢＳ）を表すことができる。無線基地局の特定の例は、ＮｏｄｅＢ、およびエボルブドＮｏｄｅＢ（ｅＮＢ）を含む。基地局は、提供するカバレッジの量（言い換えれば、送信電力レベル）に基づいてカテゴリ分けされてもよく、次いでフェムト基地局、ピコ基地局、マイクロ基地局、またはマクロ基地局と称されてもよい。「ネットワークノード」はまた、中央デジタルユニットおよび／または、場合によってはリモート無線ヘッド（ＲＲＨ）とも称されるリモートラジオユニット（ＲＲＵ）のような、分散無線基地局の１つまたは複数の（またはすべての）部分を含む。そのようなリモートラジオユニットは、アンテナ内蔵ラジオとしてアンテナに統合されることも、統合されないこともある。分散無線基地局の一部はまた、分散アンテナシステム（ＤＡＳ）内のノードと称されてもよい。
【００６４】
特定の非限定的な例において、基地局は、リレーノード、またはリレーを制御するリレードナーノードであってもよい。
【００６５】
ネットワークノードのさらなる例は、ＭＳＲ  ＢＳのようなマルチスタンダード無線（ＭＳＲ）無線機器、無線ネットワークコントローラ（ＲＮＣ）もしくは基地局コントローラ（ＢＳＣ）のようなネットワークコントローラ、ベーストランシーバ基地局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／またはＭＤＴを含む。しかし、さらに一般的に、ネットワークノードは、ユーザ機器にワイヤレス通信ネットワークへのアクセスを可能化および／もしくは提供するように、またはワイヤレス通信ネットワークにアクセスしたユーザ機器に何らかのサービスを提供するように、能力を備え、設定され、配列され、および／または動作可能な任意の適正なデバイス（またはデバイスのグループ）を表すことができる。
【００６６】
本明細書において使用されるように、「無線ノード」という用語は、上記でそれぞれ説明されているようなユーザ機器およびネットワークノードの両方を示すために総称的に使用される。
【００６７】
図３において、ネットワークノード３００は、プロセッサ３０２、ストレージ３０３、インターフェイス３０１、およびアンテナ３０１ａを備える。これらのコンポーネントは、単一の大型ボックス内に位置する単一のボックスとして示される。しかし、実際には、ネットワークノードは、単一の示されているコンポーネントを設定する複数の異なる物理コンポーネントを備えることができる（たとえば、インターフェイス３０１は、ワイヤド接続用のワイヤとワイヤレス接続用の無線送受信機を結合するための端末を備えることができる）。もう１つの例として、ネットワークノード３００は、複数の異なる物理的に別個のコンポーネントがネットワークノード３００の機能を提供するために対話する仮想ネットワークノードであってもよい（たとえば、プロセッサ３０２は、３つの別個の筐体に位置する３つの別個のプロセッサを備えることができ、各プロセッサはネットワークノード３００の特定のインスタンスの異なる機能に責任を負う）。同様に、ネットワークノード３００は、複数の物理的に別個のコンポーネント（たとえば、ＮｏｄｅＢコンポーネントおよびＲＮＣコンポーネント、ＢＴＳコンポーネントおよびＢＳＣコンポーネント、など）から成り、各々が各自のそれぞれのプロセッサ、ストレージ、およびインターフェイスコンポーネントを有することができる。ネットワークノード３００が複数の別個のコンポーネント（たとえば、ＢＴＳおよびＢＳＣコンポーネント）を備える特定のシナリオにおいて、別個のコンポーネントの１つまたは複数は、いくつかのネットワークノード間で共有されてもよい。たとえば、単一のＲＮＣは、複数のＮｏｄｅＢを制御することができる。そのようなシナリオにおいて、各々一意のＮｏｄｅＢおよびＢＳＣペアは、別個のネットワークノードであってもよい。一部の実施形態において、ネットワークノード３００は、複数の無線アクセス技術（ＲＡＴ）をサポートするように設定されてもよい。そのような実施形態において、一部のコンポーネントは重複してもよく（たとえば、異なるＲＡＴに対して別個のストレージ３０３）、一部のコンポーネントが再使用されてもよい（たとえば、同じアンテナ３０１がＲＡＴによって共有されてもよい）。
【００６８】
プロセッサ３０２は、マイクロプロセッサ、コントローラ、マイクロコントローラ、中央演算処理装置、デジタル信号プロセッサ、特定用途向け集積回路、フィールドプログラマブルゲートアレイ、または、単独でもしくはストレージ３０３のようなその他のネットワークノード２００のコンポーネントと連携してネットワークノード３００の機能を提供するように動作可能な任意のその他の適切なコンピューティングデバイス、リソース、もしくはハードウェア、ソフトウェアおよび／もしくはエンコードされた論理の組み合わせ、のうちの１つまたは複数の組み合わせであってもよい。たとえば、プロセッサ３０２は、ストレージ３０３に格納されている命令を実行することができる。そのような機能は、本明細書において開示される特徴または利点のいずれかを含む、ＵＥ３１０のようなユーザ機器に、本明細書において説明されるさまざまなワイヤレスの特徴を提供することを含むことができる。
【００６９】
ストレージ３０３は、永続ストレージ、ソリッドステートメモリ、リモートに搭載されたメモリ、磁気媒体、光媒体、ランダムアクセスメモリ（ＲＡＭ）、読み取り専用メモリ（ＲＯＭ）、取り外し可能媒体、または任意の他の適切なローカルもしくはリモートのメモリコンポーネントを非限定的に含む、揮発性または不揮発性のコンピュータ可読メモリの任意の形態を備えることができる。ストレージ３０３は、ネットワークノード３００によって利用される、ソフトウェアおよびエンコードされた論理を含む、任意の適切な命令、データ、または情報を格納することができる。ストレージ３０３は、プロセッサ３０２によって行なわれた任意の計算、および／またはインターフェイス３０１を介して受信された任意のデータを格納するために使用されてもよい。
【００７０】
ネットワークノード３００はまた、ネットワークノード３００、ネットワーク３２０、および／またはＵＥ３１０の間のシグナリングおよび／またはデータのワイヤドまたはワイヤレス通信に使用され得るインターフェイス３０１も備える。たとえば、インターフェイス３０１は、ネットワークノード３００が、ワイヤド接続を介してネットワーク３２０との間でデータを送るおよび受信できるようにするために必要とされ得る任意のフォーマッティング、コーディング、または変換を実行することができる。インターフェイス３０１はまた、アンテナ３０１ａに結合されるかまたはその一部であってもよい無線送信機および／または受信機を含むことができる。無線は、その他のネットワークノードまたはＵＷにワイヤレス接続を介して送り出されるべきデジタルデータを受信することができる。無線は、デジタルデータを、適正なチャネルおよび帯域幅パラメータを有する無線信号に変換することができる。次いで、無線信号は、アンテナ３０１ａを介して、適正な受信側（たとえば、ＵＥ３１０）に送信されてもよい。
【００７１】
アンテナ３０１ａは、データおよび／または信号をワイヤレスで送信および受信することができる任意のタイプのアンテナであってもよい。一部の実施形態において、アンテナ３０１ａは、たとえば２ＧＨｚから６６ＧＨｚの無線信号を送信／受信するように動作可能な、１つまたは複数の全方向性、セクタ、またはパネルアンテナを備えることができる。全方向性アンテナは、任意の方向の無線信号を送信／受信するために使用されてもよく、セクタアンテナは、特定のエリア内のデバイスからの無線信号を送信／受信するために使用されてもよく、パネルアンテナは、比較的直線の無線信号を送信／受信するために使用される見通しアンテナであってもよい。
【００７２】
本明細書において使用される、「ユーザ機器」（ＵＥ）または「ワイヤレスデバイス」（ＷＤ）は、ネットワークノードおよび／または別のユーザ機器とワイヤレスで通信するように能力を備え、設定され、配置され、および／または動作可能なデバイスを示す。ワイヤレスで通信することは、電磁信号、電波、赤外線信号、および／または空気を通じて情報を伝達するために適切なその他のタイプの信号を使用してワイヤレス信号を送信することおよび／または受信することを含むことができる。特定の実施形態において、ユーザ機器は、直接の人間のやりとりを伴わずに情報を送信／受信するように設定されてもよい。たとえば、ユーザ機器は、内部もしくは外部イベントによってトリガーされる場合、またはネットワークからの要求に応じて、所定のスケジュールで情報をネットワークに送信するように設計されてもよい。一般に、ユーザ機器またはワイヤレスデバイスは、ワイヤレス通信の能力を備え、ワイヤレス通信用に設定され、配置され、および／または動作可能な任意のデバイス、たとえば無線通信デバイスを表すことができる。ワイヤレスデバイスの例は、スマートフォンのようなユーザ機器（ＵＥ）を含むが、これに限定されることはない。さらなる例は、ワイヤレスカメラ、ワイヤレス対応タブレットコンピュータ、ラップトップ組み込み機器（ＬＥＥ）、ラップトップ搭載機器（ＬＭＥ）、ＵＳＢドングル、および／またはワイヤレス顧客宅内機器（ＣＰＥ）を含む。
【００７３】
１つの固有の例として、通信デバイスは、３ＧＰＰのＧＳＭ、ＵＭＴＳ、ＬＴＥ、および／または５Ｇ標準のような、第３世代パートナーシッププロジェクト（３ＧＰＰ）によって推奨される１つまたは複数の通信標準に従って通信向けに設定されたＵＥを表すことができる。本明細書において使用される、「ユーザ機器」または「ＵＥ」は、必ずしも、関連デバイスを所有および／または操作する人間ユーザの意味での「ユーザ」を有することはない。そうではなく、ＵＥは、人間ユーザへの販売、または人間ユーザによる操作を意図されるが、当初は固有の人間ユーザに関連付けられなくてもよいデバイスを表すことができる。
【００７４】
ユーザ機器は、サイドリンク通信用に３ＧＰＰ標準を実施することにより、デバイスツーデバイス（Ｄ２Ｄ）通信をサポートすることができ、この場合はＤ２Ｄ通信デバイスと称されてもよい。
【００７５】
さらにもう１つの固有の例として、モノのインターネット（ＩＯＴ）のシナリオにおいて、ワイヤレスデバイスは、監視および／または測定を実行し、そのような監視および／または測定の結果を別のワイヤレスデバイスおよび／またはネットワークノードに送信するマシンまたはその他のデバイスを表すことができる。ワイヤレスデバイスは、この場合、マシンツーマシン（Ｍ２Ｍ）デバイスであってもよく、このデバイスは３ＧＰＰのコンテキストにおいてマシンタイプ通信（ＭＴＣ）デバイスと称されてもよい。１つの特定の例として、ワイヤレスデバイスは、３ＧＰＰ狭帯域モノのインターネット（ＮＢ−ＩｏＴ）標準を実施するＵＥであってもよい。そのようなマシンまたはデバイスの特定の例は、センサー、電力メーターのような計量デバイス、工業用機械、または家庭用もしくは個人向け電化製品、たとえば冷蔵庫、テレビジョン、時計のような個人向けウェアラブルなどである。その他のシナリオにおいて、ワイヤレスデバイスは、各自の動作状況または各自の動作に関連付けられたその他の機能について監視および／または報告することができる車両またはその他の機器を表すことができる。
【００７６】
上記で説明されるワイヤレスデバイスは、ワイヤレス接続のエンドポイントを表すことができ、その場合デバイスはワイヤレス端末と称されてもよい。さらに、上記で説明されるワイヤレスデバイスは、モバイルであってもよく、その場合デバイスはまた、モバイルデバイスまたはモバイル端末と称されてもよい。
【００７７】
図３に示されるように、ＵＥ３１０は、ネットワークノード３００および／またはその他のＵＥのような、ネットワークノードとの間でデータおよび／または信号をワイヤレスで送るおよび受信することができる、ワイヤレスエンドポイント、移動局、携帯電話、ワイヤレスローカルループ電話、スマートフォン、ユーザ機器、デスクトップコンピュータ、ＰＤＡ、セル電話、タブレット、ラップトップ、ＶｏＩＰフォンまたはハンドセット、のいずれかのタイプであってもよい。ＵＥ３１０は、プロセッサ３１２、ストレージ３１３、インターフェイス３１１、およびアンテナ３１１ａを備える。ネットワークノード３００と同様に、ＵＥ３１０のコンポーネントは、単一の大きいボックス内に位置する単一のボックスとして示されているが、実際にはユーザ機器は、単一の示されているコンポーネントを設定する複数の異なる物理コンポーネントを備えることができる（たとえば、ストレージ３１３は、各マイクロチップが合計ストレージ容量の部分を表す、複数の別個のマイクロチップを備えることができる）。
【００７８】
プロセッサ３１２は、マイクロプロセッサ、コントローラ、マイクロコントローラ、中央演算処理装置、デジタル信号プロセッサ、特定用途向け集積回路、フィールドプログラマブルゲートアレイ、または、単独でもしくはストレージ３１３のようなその他のＵＥ３１０コンポーネントとの組み合わせでＵＥ３１０の機能を提供するように動作可能な任意のその他の適切なコンピューティングデバイス、リソース、もしくはハードウェア、ソフトウェアおよび／もしくはエンコードされた論理の組み合わせ、のうちの１つまたは複数の組み合わせであってもよい。そのような機能は、本明細書において開示される特徴または利点のいずれかを含む、本明細書において説明されるさまざまなワイヤレスの特徴を提供することを含むことができる。
【００７９】
ストレージ３１３は、永続ストレージ、ソリッドステートメモリ、リモートに搭載されたメモリ、磁気媒体、光媒体、ランダムアクセスメモリ（ＲＡＭ）、読み取り専用メモリ（ＲＯＭ）、取り外し可能媒体、または任意の他の適切なローカルもしくはリモートのメモリコンポーネントを非限定的に含む、揮発性または不揮発性のメモリの任意の形態であってもよい。ストレージ２１３は、ＵＥ３１０によって利用される、ソフトウェアおよびエンコードされた論理を含む、任意の適切なデータ、命令、または情報を格納することができる。ストレージ３１３は、プロセッサ３１２によって行なわれた任意の計算、および／またはインターフェイス３１１を介して受信された任意のデータを格納するために使用されてもよい。
【００８０】
インターフェイス３１１は、ＵＥ３１０とネットワークノード３００の間のシグナリングおよび／またはデータのワイヤレス通信に使用されてもよい。たとえば、インターフェイス３１１は、ＵＥ３１０が、ワイヤレス接続を介してネットワークノード３００との間でデータを送るおよび受信することができるようにするために必要とされることがある任意のフォーマッティング、コーディング、または変換を実行することができる。インターフェイス３１１はまた、アンテナ３１１ａに結合されるかまたはその一部であってもよい無線送信機および／または受信機を含むことができる。無線は、ネットワークノード３０１にワイヤレス接続を介して送り出されるべきデジタルデータを受信することができる。無線は、デジタルデータを、適正なチャネルおよび帯域幅パラメータを有する無線信号に変換することができる。次いで、無線信号は、アンテナ３１１ａを介してネットワークノード３００に送信されてもよい。
【００８１】
アンテナ３１１ａは、データおよび／または信号をワイヤレスで送信および受信することができる任意のタイプのアンテナであってもよい。一部の実施形態において、アンテナ３１１ａは、たとえば２ＧＨｚから６６ＧＨｚの無線信号を送信／受信するように動作可能な、１つまたは複数の全方向性、セクタ、またはパネルアンテナを備えることができる。簡略にするため、アンテナ３１１ａは、ワイヤレス信号が使用されている限りにおいて、インターフェイス３１１の一部と見なされてもよい。
【００８２】
図２の例示のワイヤレス通信ネットワークにおいて利用されるユーザ機器は、ハードウェアおよび／またはソフトウェアの任意の適切な組み合わせを含むデバイスを表すことができるが、このユーザ機器は、特定の実施形態において、図４によってさらに詳細に説明される例示のユーザ機器９００のようなデバイスを表すことができる。
【００８３】
図４に示されるように、例示のユーザ機器９００は、アンテナ９０５、無線フロントエンド回路網９１０、処理回路網９２０、およびコンピュータ可読ストレージ媒体９３０を含む。アンテナ９０５は、１つまたは複数のアンテナまたはアンテナアレイを含むことができ、ワイヤレス信号を送るおよび／または受信するように設定され、無線フロントエンド回路網９１０に接続される。特定の代替的実施形態において、ユーザ機器９００は、アンテナ９０５を含まないこともあり、その代わりにアンテナ９０５は、ユーザ機器９００から分離されて、インターフェイスまたはポートを通じてユーザ機器９００に接続可能であってもよい。
【００８４】
無線フロントエンド回路網９１０は、さまざまなフィルタおよび増幅器を備えることができ、アンテナ９０５および処理回路網９２０に接続され、アンテナ９０５と処理回路網９２０の間で通信される信号を調節するように設定される。特定の代替的実施形態において、ユーザ機器９００は、無線フロントエンド回路網９１０を含まないこともあり、その代わりに処理回路網９２０は、無線フロントエンド回路網９１０なしでアンテナ９０５に接続されてもよい。
【００８５】
無線回路網９２０は、無線周波数（ＲＦ）送受信機回路網９２１、ベースバンド処理回路網９２２、およびアプリケーション処理回路網９２３のうちの１つまたは複数を含むことができる。一部の実施形態において、ＲＦ送受信機回路網９２１、ベースバンド処理回路網９２２、およびアプリケーション処理回路網９２３は、別個のチップセット上にあってもよい。代替的実施形態において、ベースバンド処理回路網９２２、およびアプリケーション処理回路網９２３の一部または全部は、１つのチップセットに結合されてもよく、ＲＦ送受信機回路網９２１は、別個のチップセット上にあってもよい。さらなる代替的実施形態において、ＲＦ送受信機回路網９２１、およびベースバンド処理回路網９２２の一部または全部は、同じチップセット上にあってもよく、アプリケーション処理回路網９２３は、別個のチップセット上にあってもよい。さらなるその他の代替的実施形態において、ＲＦ送受信機回路網９２１、ベースバンド処理回路網９２２、およびアプリケーション処理回路網９２３の一部または全部は、同じチップセットに結合されてもよい。処理回路網９２０は、たとえば、１つもしくは複数の中央演算処理装置（ＣＰＵ）、１つもしくは複数のマイクロプロセッサ、１つもしくは複数の特定用途向け集積回路（ＡＳＩＣ）、および／または１つもしくは複数のフィールドプログラマブルゲートアレイ（ＦＰＧＡ）を含むことができる。
【００８６】
特定の実施形態において、ユーザ機器によって提供されるものとして本明細書において説明される機能の一部または全部は、図４に示されるように、コンピュータ可読ストレージ媒体９３０に格納された命令を実行する処理回路網９２０によって提供されてもよい。代替的実施形態において、機能の一部または全部は、ハードワイヤド方式のように、コンピュータ可読媒体に格納された命令を実行することなく処理回路網９２０によって提供されてもよい。これらの特定の実施形態のいずれかにおいて、コンピュータ可読ストレージ媒体に格納された命令を実行するかどうかにかかわらず、処理回路網は、説明される機能を実行するように設定されるものと言える。そのような機能によって提供される利点は、処理回路網９２０のみまたはユーザ機器のその他のコンポーネントに限定されることはなく、ユーザ機器全体によって、ならびに／またはエンドユーザおよび広くワイヤレスネットワークによって享受される。
【００８７】
アンテナ９０５、無線フロントエンド回路網９１０、および／または処理回路網９２０は、ユーザ機器によって実行されるものとして本明細書において説明される任意の受信操作を実行するように設定されてもよい。任意の情報、データおよび／または信号は、ネットワーク機器および／または別のユーザ機器から受信されてもよい。
【００８８】
処理回路網９２０は、ユーザ機器によって実行されるものとして本明細書において説明される任意の決定またはその他の操作を実行するように設定されてもよい。処理回路網９２０により実行される決定することは、処理回路網９２０によって取得された情報を、たとえば取得された情報をその他の情報に変換すること、取得された情報または変換された情報をユーザ機器に格納されている情報と比較すること、および／または取得された情報もしくは変換された情報に基づいて１つもしくは複数の操作を実行することによって、処理すること、ならびに前記処理の結果として決定を行なうことを含むことができる。
【００８９】
アンテナ９０５、無線フロントエンド回路網９１０、および／または処理回路網９２０は、ユーザ機器によって実行されるものとして本明細書において説明される任意の送信操作を実行するように設定されてもよい。任意の情報、データおよび／または信号は、ネットワーク機器および／または別のユーザ機器に送信されてもよい。
【００９０】
コンピュータ可読ストレージ媒体９３０は、概して、コンピュータプログラム、ソフトウェア、論理、ルール、コード、テーブルなどの１つもしくは複数を含むアプリケーションのような命令、および／またはプロセッサによって実行され得るその他の命令を格納するように動作可能である。コンピュータ可読ストレージ媒体９３０の例は、コンピュータメモリ（たとえば、ランダムアクセスメモリ（ＲＡＭ）もしくは読み取り専用メモリ（ＲＯＭ））、大容量ストレージ媒体（たとえば、ハードディスク）、取り外し可能ストレージ媒体（たとえば、コンパクトディスク（ＣＤ）もしくはデジタルビデオディスク（ＤＶＤ））、ならびに／または処理回路網９２０によって使用され得る情報、データ、および／もしくは命令を格納する任意のその他の揮発性もしくは不揮発性の、非一時的コンピュータ可読および／もしくはコンピュータ実行可能メモリデバイスを含む。一部の実施形態において、処理回路網９２０およびコンピュータ可読ストレージ媒体９３０は、統合されるものと見なされてもよい。
【００９１】
ユーザ機器９００の代替的実施形態は、本明細書において説明されている機能および／または上記で説明されている解決策をサポートするために必要な任意の機能のいずれかを含む、ユーザ機器の機能の特定の態様を提供することを担当し得る、図４に示されているコンポーネント以外の追加のコンポーネントを含むことができる。単に１つの例として、ユーザ機器９００は、入力インターフェイス、デバイスおよび回路、ならびに出力インターフェイス、デバイスおよび回路を含むことができる。入力インターフェイス、デバイス、および回路は、ユーザ機器９００への情報の入力を可能にするように設定され、処理回路網９２０に接続されて処理回路網９２０が入力情報を処理できるようにする。たとえば、入力インターフェイス、デバイス、および回路は、マイクロフォン、近接もしくはその他のセンサー、キー／ボタン、タッチディスプレイ、１つもしくは複数のカメラ、ＵＳＢポート、またはその他の入力要素を含むことができる。出力インターフェイス、デバイス、および回路は、ユーザ機器９００からの情報の出力を可能にするように設定され、処理回路網９２０に接続されて処理回路網９２０がユーザ機器９００からの情報を出力できるようにする。たとえば、出力インターフェイス、デバイス、または回路は、スピーカ、ディスプレイ、振動回路網、ＵＳＢポート、ヘッドフォンインターフェイス、またはその他の出力要素を含むことができる。１つまたは複数の入力および出力インターフェイス、デバイス、および回路を使用して、ユーザ機器９００は、エンドユーザおよび／またはワイヤレスネットワークと通信することができ、エンドユーザおよび／またはワイヤレスネットワークが本明細書において説明される機能の恩恵を受けることができるようにする。
【００９２】
もう１つの例として、ユーザ機器９００は、電源回路網９４０を含むことができる。電源回路網９４０は、電力管理回路網を備えることができる。電源回路網は、電源から電力を受信することができ、電源は電源回路網９４０に含まれるか、または電源回路網９４０の外部であってもよい。たとえば、ユーザ機器９００は、電源回路網９４０に接続されるかまたは組み込まれているバッテリまたはバッテリパックの形態をとる電源を備えることができる。光電池デバイスのような、その他のタイプの電源が使用されてもよい。さらなる例として、ユーザ機器９００は、入力回路網または電気ケーブルのようなインターフェイスを介して（電気コンセントのような）外部電源に接続可能であってもよく、それにより外部電源が電源回路網９４０に電力を供給する。
【００９３】
電源回路網９４０は、無線フロントエンド回路網９１０、処理回路網９２０、および／またはコンピュータ可読ストレージ媒体９３０に接続されてもよく、処理回路網９２０を含むユーザ機器９００に、本明細書において説明される機能を実行するための電力を供給するように設定されてもよい。
【００９４】
ユーザ機器９００はまた、たとえばＧＳＭ、ＷＣＤＭＡ、ＬＴＥ、ＮＲ、ＷｉＦｉ、またはブルートゥースワイヤレス技術のような、ユーザ機器９００に組み込まれたさまざまなワイヤレス技術のために、処理回路網９２０、コンピュータ可読ストレージ媒体９３０、無線回路網９１０、および／またはアンテナ９０５の複数のセットを含むことができる。これらのワイヤレス技術は、ユーザ機器９００内の同一または異なるチップセットおよびその他のコンポーネントに組み入れられてもよい。
【００９５】
省略語  説明
ＮＢ  狭帯域
ＮＢ−ＩｏＴ  狭帯域モノのインターネット
ＭＴＣ  マシンタイプ通信
ＰＳＳ  １次同期シーケンス
ＳＳＳ  ２次同期シーケンス
ＳＩＭ  加入者識別モジュール
ＣＲＣ  巡回冗長検査
ＮＰＳＳ  ＮＢ−ＩｏＴ１次同期シーケンス
ＮＳＳＳ  ＮＢ−ＩｏＴ２次同期シーケンス
ＬＴＥ  Ｌｏｎｇ  Ｔｅｒｍ  Ｅｖｏｌｕｔｉｏｎ
ＤＦＴ  離散フーリエ変換
ＩＦＦＴ  逆高速フーリエ変換
ＣＲＳ  セル固有参照信号
ＰＤＣＣＨ  物理ダウンリンク制御チャネル
ＣＰ  巡回プレフィックス
ＦＤＤ  周波数分割複信
ＴＤＤ  時分割複信
ＮＰＢＣＨ  ＮＢ−ＩｏＴ物理ブロードキャストチャネル
ＳＮＲ  信号対雑音比
ＯＦＤＭ  直交周波数分割多重
ＺＣ  Ｚａｄｏｆｆ−Ｃｈｕ（ザドフ−チュー）
ＣＳＳ  共通検索スペース
ＵＳＳ  ＵＥ固有検索スペース
ＰＲＢ  物理リソースブロック
ＤＬ  ダウンリンク
ＵＬ  アップリンク
【図１】
2019512956.tif 000012
【図２】
2019512956.tif 000013
【図３】
2019512956.tif 000014
【図４】
2019512956.tif 000015
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
ＮＢ−ＩｏＴページングの共通検索スペース（ＣＳＳ）を決定するための、アイドルモードにおいてユーザ機器（ＵＥ）（３１０）によって実行される方法（１００）であって、
サブフレームのセットをページングオケージョン（ＰＯ）サブフレームパターンとして決定すること（１０２）と、
無線ネットワーク一時識別子（ＲＮＴＩ）のＣＳＳの開始サブフレームを監視すること（１０４）とを備え、
ＣＳＳの前記開始サブフレームは、
前記ページングオケージョンサブフレームパターンに従う第１のサブフレーム（ＳＦ０）が有効なダウンリンクサブフレームであると決定される場合（１０６）に、前記第１のサブフレームを使用する（１０８）ように、および
前記第１のサブフレームが無効なダウンリンクサブフレームであると決定される場合（１０６）に、前記第１のサブフレームの後の次の有効なダウンリンクサブフレームを使用する（１１０）ように決定される方法（１００）。
【請求項２】
前記ＵＥ（３１０）は、
サブフレームが、狭帯域システム情報ブロック１（ＮＢ−ＳＩＢ１）の有効なダウンリンクサブフレームとして指示され、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定する、請求項１に記載の方法（１００）。
【請求項３】
前記ページングオケージョンサブフレームパターンは、サブフレームパターン表に従って決定される、請求項１に記載の方法（１００）。
【請求項４】
前記第１のサブフレームは、狭帯域物理データ制御チャネル（ＮＰＤＣＣＨ）反復の開始サブフレームであると規定される、請求項１に記載の方法（１００）。
【請求項５】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項４に記載の方法（１００）。
【請求項６】
前記ＵＥ（３１０）は、ネットワークノードによってブロードキャストされたシステム情報ブロック（ＳＩＢ）メッセージで受信される有効なサブフレームパターンに基づいて、サブフレームが有効なダウンリンクサブフレームであると決定する、請求項１に記載の方法（１００）。
【請求項７】
前記ＵＥ（３１０）は、有効なサブフレームパターンに基づいてサブフレームが有効なダウンリンクサブフレームであると決定し、前記有効なサブフレームパターンは知られているブロードキャストチャネルまたはブロードキャスト信号によって占有されていないサブフレームを備える、請求項１に記載の方法（１００）。
【請求項８】
前記ＵＥ（３１０）は、第１の有効なサブフレームパターンおよび第２の有効なサブフレームパターンに基づいて、サブフレームが有効なダウンリンクサブフレームであると決定し、
前記第１の有効なサブフレームパターンは、ネットワークノードによってブロードキャストされるシステム情報ブロック（ＳＩＢ）メッセージで受信されるダウンリンクサブフレームパターンであり、
前記第２の有効なサブフレームパターンは、知られているブロードキャストチャネルまたはブロードキャスト信号によって占有されていないサブフレームを備える、請求項１に記載の方法（１００）。
【請求項９】
ＮＢ−ＩｏＴページングの共通検索スペース（ＣＳＳ）を決定するための、ネットワークノード（３００）によって実行される方法（２００）であって、
サブフレームのセットをページングオケージョン（ＰＯ）サブフレームパターンとして決定すること（２０２）と、
ページングメッセージをユーザ機器（ＵＥ）に送信すること（２０４）であって、前記ページングメッセージはＣＳＳの開始サブフレームから開始する、送信すること（２０４）とを備え、
ＣＳＳの前記開始サブフレームは、
前記ページングオケージョンサブフレームパターンに従う第１のサブフレーム（ＳＦ０）が、有効なダウンリンクサブフレームであると決定される場合（２０６）に、前記第１のサブフレームを使用する（２０８）ように、および
前記第１のサブフレームが無効なダウンリンクサブフレームであると決定される場合（２０６）に、前記第１のサブフレームの後の次の有効なダウンリンクサブフレームを使用する（２１０）ように決定される方法（２００）。
【請求項１０】
ダウンリンクサブフレームを、狭帯域システム情報ブロック１（ＮＢ−ＳＩＢ１）において有効であると指示することをさらに備え、
前記ネットワークノード（３００）は、前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定する、請求項９に記載の方法（２００）。
【請求項１１】
前記ページングオケージョンサブフレームパターンは、サブフレームパターン表に従って決定される、請求項９に記載の方法（２００）。
【請求項１２】
前記第１のサブフレームは、狭帯域物理データ制御チャネル（ＮＰＤＣＣＨ）反復の開始サブフレームであると規定される、請求項９に記載の方法（２００）。
【請求項１３】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項１２に記載の方法（２００）。
【請求項１４】
前記ネットワークノードは、前記ＵＥ（３１０）にブロードキャストされたシステム情報ブロック（ＳＩＢ）メッセージで有効なダウンリンクサブフレームパターンを送信する、請求項９に記載の方法（２００）。
【請求項１５】
アイドルモードで動作する間に、ＮＢ−ＩｏＴページングの共通検索スペース（ＣＳＳ）を決定するように設定されたユーザ機器（ＵＥ）（３１０）であって、
サブフレームのセットをページングオケージョン（ＰＯ）サブフレームパターンとして決定し、
無線ネットワーク一時識別子（ＲＮＴＩ）のＣＳＳの開始サブフレームを監視するように設定された処理回路網（３１２）を備え、
ＣＳＳの前記開始サブフレームは、
前記ページングオケージョンサブフレームパターンに従う第１のサブフレーム（ＳＦ０）が、有効なダウンリンクサブフレームであると決定される場合に、前記第１のサブフレームを使用するように、および
前記第１のサブフレームが無効なダウンリンクサブフレームであると決定される場合に、前記第１のサブフレームの後の次の有効なダウンリンクサブフレームを使用するように決定されるＵＥ（３１０）。
【請求項１６】
前記処理回路網（３１２）は、
サブフレームが、狭帯域システム情報ブロック１（ＮＢ−ＳＩＢ１）の有効なダウンリンクサブフレームとして指示され、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定するように設定される、請求項１５に記載のＵＥ（３１０）。
【請求項１７】
前記ページングオケージョンサブフレームパターンは、サブフレームパターン表に従って決定される、請求項１５に記載のＵＥ（３１０）。
【請求項１８】
前記第１のサブフレームは、狭帯域物理データ制御チャネル（ＮＰＤＣＣＨ）反復の開始サブフレームであると規定される、請求項１５に記載のＵＥ（３１０）。
【請求項１９】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項１８に記載のＵＥ（３１０）。
【請求項２０】
前記処理回路網（３１２）は、ネットワークノード（３００）によってブロードキャストされたシステム情報ブロック（ＳＩＢ）メッセージで受信される有効なサブフレームパターンに基づいて、サブフレームが有効なダウンリンクサブフレームであると決定するように設定される、請求項１５に記載のＵＥ（３１０）。
【請求項２１】
前記処理回路網（３１２）は、有効なサブフレームパターンに基づいてサブフレームが有効なダウンリンクサブフレームであると決定するように設定され、前記有効なサブフレームパターンは知られているブロードキャストチャネルまたはブロードキャスト信号によって占有されていないサブフレームを備える、請求項１５に記載のＵＥ（３１０）。
【請求項２２】
前記処理回路網（３１２）は、第１の有効なサブフレームパターンおよび第２の有効なサブフレームパターンに基づいて、サブフレームが有効なダウンリンクサブフレームであると決定するように設定され、
前記第１の有効なサブフレームパターンは、ネットワークノード（３００）によってブロードキャストされるシステム情報ブロック（ＳＩＢ）メッセージで受信されるダウンリンクサブフレームパターンであり、
前記第２の有効なサブフレームパターンは、知られているブロードキャストチャネルまたはブロードキャスト信号によって占有されていないサブフレームを備える、請求項１５に記載のＵＥ（３１０）。
【請求項２３】
ＮＢ−ＩｏＴページングの共通検索スペース（ＣＳＳ）を決定するように設定されたネットワークノード（３００）であって、
サブフレームのセットをページングオケージョン（ＰＯ）サブフレームパターンとして決定し、
ページングメッセージをユーザ機器（ＵＥ）（３１０）に送信し、前記ページングメッセージはＣＳＳの開始サブフレームから開始するように設定された処理回路網（３０２）を備え、
ＣＳＳの前記開始サブフレームは、
前記ページングオケージョンサブフレームパターンに従う第１のサブフレーム（ＳＦ０）が、有効なダウンリンクサブフレームであると決定される場合に、前記第１のサブフレームを使用するように、および
前記第１のサブフレームが無効なダウンリンクサブフレームであると決定される場合に、前記第１のサブフレームの後の次の有効なダウンリンクサブフレームを使用するように決定されるネットワークノード（３００）。
【請求項２４】
前記処理回路網（３０２）は、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定し、
前記サブフレームを、システム情報ブロック１（ＳＩＢ１）の有効なダウンリンクサブフレームとして指示するようにさらに設定される、請求項２３に記載のネットワークノード（３００）。
【請求項２５】
前記ページングオケージョンサブフレームパターンは、サブフレームパターン表に従って決定される、請求項２３に記載のネットワークノード（３００）。
【請求項２６】
前記第１のサブフレームは、狭帯域物理データ制御チャネル（ＮＰＤＣＣＨ）反復の開始サブフレームであると規定される、請求項２３に記載のネットワークノード（３００）。
【請求項２７】
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、請求項２６に記載のネットワークノード（３００）。
【請求項２８】
前記処理回路網（３０２）は、前記ＵＥ（３１０）にブロードキャストされたシステム情報ブロック（ＳＩＢ）メッセージで有効なサブフレームパターンを送信するようにさらに設定される、請求項２３に記載のネットワークノード（３００）。
【手続補正２】
【補正対象書類名】明細書
【補正対象項目名】００９５
【補正方法】変更
【補正の内容】
【００９５】
本発明は以下に記載する態様を含む。
（態様１）
ＮＢ−ＩｏＴページングの共通検索スペース（ＣＳＳ）を決定するための、アイドルモードにおいてユーザ機器（ＵＥ）（３１０）によって実行される方法（１００）であって、
サブフレームのセットをページングオケージョン（ＰＯ）サブフレームパターンとして決定すること（１０２）と、
無線ネットワーク一時識別子（ＲＮＴＩ）のＣＳＳの開始サブフレームを監視すること（１０４）とを備え、
ＣＳＳの前記開始サブフレームは、
前記ページングオケージョンサブフレームパターンにより規定された前記第１のサブフレーム（前記第１のサブフレーム）が有効なダウンリンクサブフレームであると決定される場合（１０６）に、前記第１のサブフレームを使用する（１０８）ように、および
前記第１のサブフレームが無効なダウンリンクサブフレームであると決定される場合（１０６）に、前記第１のサブフレームの後の次の有効なダウンリンクサブフレームを使用する（１１０）ように決定される方法（１００）。
（態様２）
前記ＵＥ（３１０）は、
サブフレームが、狭帯域システム情報ブロック１（ＮＢ−ＳＩＢ１）の有効なダウンリンクサブフレームとして指示され、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定する、態様１に記載の方法（１００）。
（態様３）
前記ページングオケージョンサブフレームパターンは、サブフレームパターン表に従って決定される、態様１に記載の方法（１００）。
（態様４）
前記第１のサブフレームは、前記ページングオケージョンサブフレームパターンによって狭帯域物理データ制御チャネル（ＮＰＤＣＣＨ）反復の開始サブフレームであると規定される、態様１に記載の方法（１００）。
（態様５）
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、態様４に記載の方法（１００）。
（態様６）
前記ＵＥ（３１０）は、ネットワークノードによってブロードキャストされたシステム情報ブロック（ＳＩＢ）メッセージで受信される有効なサブフレームパターンに基づいて、サブフレームが有効なダウンリンクサブフレームであると決定する、態様１に記載の方法（１００）。
（態様７）
前記ＵＥ（３１０）は、有効なサブフレームパターンに基づいてサブフレームが有効なダウンリンクサブフレームであると決定し、前記有効なサブフレームパターンは知られているブロードキャストチャネルまたはブロードキャスト信号によって占有されていないサブフレームを備える、態様１に記載の方法（１００）。
（態様８）
前記ＵＥ（３１０）は、第１の有効なサブフレームパターンおよび第２の有効なサブフレームパターンに基づいて、サブフレームが有効なダウンリンクサブフレームであると決定し、
前記第１の有効なサブフレームパターンは、ネットワークノードによってブロードキャストされるシステム情報ブロック（ＳＩＢ）メッセージで受信されるダウンリンクサブフレームパターンであり、
前記第２の有効なサブフレームパターンは、知られているブロードキャストチャネルまたはブロードキャスト信号によって占有されていないサブフレームを備える、態様１に記載の方法（１００）。
（態様９）
ＮＢ−ＩｏＴページングの共通検索スペース（ＣＳＳ）を決定するための、ネットワークノード（３００）によって実行される方法（２００）であって、
サブフレームのセットをページングオケージョン（ＰＯ）サブフレームパターンとして決定すること（２０２）と、
ページングメッセージをユーザ機器（ＵＥ）に送信すること（２０４）であって、前記ページングメッセージはＣＳＳの開始サブフレームから開始する、送信すること（２０４）とを備え、
ＣＳＳの前記開始サブフレームは、
前記ページングオケージョンサブフレームパターンにより規定された前記第１のサブフレーム（前記第１のサブフレーム）が、有効なダウンリンクサブフレームであると決定される場合（２０６）に、前記第１のサブフレームを使用する（２０８）ように、および
前記第１のサブフレームが無効なダウンリンクサブフレームであると決定される場合（２０６）に、前記第１のサブフレームの後の次の有効なダウンリンクサブフレームを使用する（２１０）ように決定される方法（２００）。
（態様１０）
ダウンリンクサブフレームを、狭帯域システム情報ブロック１（ＮＢ−ＳＩＢ１）において有効であると指示することをさらに備え、
前記ネットワークノード（３００）は、前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定する、態様９に記載の方法（２００）。
（態様１１）
前記ページングオケージョンサブフレームパターンは、サブフレームパターン表に従って決定される、態様９に記載の方法（２００）。
（態様１２）
前記第１のサブフレームは、前記ページングオケージョンサブフレームパターンによって狭帯域物理データ制御チャネル（ＮＰＤＣＣＨ）反復の開始サブフレームであると規定される、態様９に記載の方法（２００）。
（態様１３）
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、態様１２に記載の方法（２００）。
（態様１４）
前記ネットワークノードは、前記ＵＥ（３１０）にブロードキャストされたシステム情報ブロック（ＳＩＢ）メッセージで有効なダウンリンクサブフレームパターンを送信する、態様９に記載の方法（２００）。
（態様１５）
アイドルモードで動作する間に、ＮＢ−ＩｏＴページングの共通検索スペース（ＣＳＳ）を決定するように設定されたユーザ機器（ＵＥ）（３１０）であって、
サブフレームのセットをページングオケージョン（ＰＯ）サブフレームパターンとして決定し、
無線ネットワーク一時識別子（ＲＮＴＩ）のＣＳＳの開始サブフレームを監視するように設定された処理回路網（３１２）を備え、
ＣＳＳの前記開始サブフレームは、
前記ページングオケージョンサブフレームパターンにより規定された前記第１のサブフレーム（前記第１のサブフレーム）が、有効なダウンリンクサブフレームであると決定される場合に、前記第１のサブフレームを使用するように、および
前記第１のサブフレームが無効なダウンリンクサブフレームであると決定される場合に、前記第１のサブフレームの後の次の有効なダウンリンクサブフレームを使用するように決定されるＵＥ（３１０）。
（態様１６）
前記処理回路網（３１２）は、
サブフレームが、狭帯域システム情報ブロック１（ＮＢ−ＳＩＢ１）の有効なダウンリンクサブフレームとして指示され、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定するように設定される、態様１５に記載のＵＥ（３１０）。
（態様１７）
前記ページングオケージョンサブフレームパターンは、サブフレームパターン表に従って決定される、態様１５に記載のＵＥ（３１０）。
（態様１８）
前記第１のサブフレームは、前記ページングオケージョンサブフレームパターンによって狭帯域物理データ制御チャネル（ＮＰＤＣＣＨ）反復の開始サブフレームであると規定される、態様１５に記載のＵＥ（３１０）。
（態様１９）
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、態様１８に記載のＵＥ（３１０）。
（態様２０）
前記処理回路網（３１２）は、ネットワークノード（３００）によってブロードキャストされたシステム情報ブロック（ＳＩＢ）メッセージで受信される有効なサブフレームパターンに基づいて、サブフレームが有効なダウンリンクサブフレームであると決定するように設定される、態様１５に記載のＵＥ（３１０）。
（態様２１）
前記処理回路網（３１２）は、有効なサブフレームパターンに基づいてサブフレームが有効なダウンリンクサブフレームであると決定するように設定され、前記有効なサブフレームパターンは知られているブロードキャストチャネルまたはブロードキャスト信号によって占有されていないサブフレームを備える、態様１５に記載のＵＥ（３１０）。
（態様２２）
前記処理回路網（３１２）は、第１の有効なサブフレームパターンおよび第２の有効なサブフレームパターンに基づいて、サブフレームが有効なダウンリンクサブフレームであると決定するように設定され、
前記第１の有効なサブフレームパターンは、ネットワークノード（３００）によってブロードキャストされるシステム情報ブロック（ＳＩＢ）メッセージで受信されるダウンリンクサブフレームパターンであり、
前記第２の有効なサブフレームパターンは、知られているブロードキャストチャネルまたはブロードキャスト信号によって占有されていないサブフレームを備える、態様１５に記載のＵＥ（３１０）。
（態様２３）
ＮＢ−ＩｏＴページングの共通検索スペース（ＣＳＳ）を決定するように設定されたネットワークノード（３００）であって、
サブフレームのセットをページングオケージョン（ＰＯ）サブフレームパターンとして決定し、
ページングメッセージをユーザ機器（ＵＥ）（３１０）に送信し、前記ページングメッセージはＣＳＳの開始サブフレームから開始するように設定された処理回路網（３０２）を備え、
ＣＳＳの前記開始サブフレームは、
前記ページングオケージョンサブフレームパターンにより規定された前記第１のサブフレーム（前記第１のサブフレーム）が、有効なダウンリンクサブフレームであると決定される場合に、前記第１のサブフレームを使用するように、および
前記第１のサブフレームが無効なダウンリンクサブフレームであると決定される場合に、前記第１のサブフレームの後の次の有効なダウンリンクサブフレームを使用するように決定されるネットワークノード（３００）。
（態様２４）
前記処理回路網（３０２）は、
前記サブフレームが、
ＮＢ−ＩｏＴ１次同期シーケンス（ＮＰＳＳ）、
ＮＢ−ＩｏＴ２次同期シーケンス（ＮＳＳＳ）、
ＮＢ−ＩｏＴ物理ブロードキャストチャネル（ＮＰＢＣＨ）、および
ＮＢ−ＳＩＢ１
のいずれも含まない場合に、前記サブフレームが有効なダウンリンクサブフレームであると決定し、
前記サブフレームを、システム情報ブロック１（ＳＩＢ１）の有効なダウンリンクサブフレームとして指示するようにさらに設定される、態様２３に記載のネットワークノード（３００）。
（態様２５）
前記ページングオケージョンサブフレームパターンは、サブフレームパターン表に従って決定される、態様２３に記載のネットワークノード（３００）。
（態様２６）
前記第１のサブフレームは、前記ページングオケージョンサブフレームパターンによって狭帯域物理データ制御チャネル（ＮＰＤＣＣＨ）反復の開始サブフレームであると規定される、態様２３に記載のネットワークノード（３００）。
（態様２７）
前記ＮＰＤＣＣＨの反復が無効なダウンリンクサブフレームと重複する場合、前記ＮＰＤＣＣＨ反復が次の有効なダウンリンクサブフレームまで遅延されるように、前記ＣＳＳは有効なダウンリンクサブフレームにわたってのみ規定される、態様２６に記載のネットワークノード（３００）。
（態様２８）
前記処理回路網（３０２）は、前記ＵＥ（３１０）にブロードキャストされたシステム情報ブロック（ＳＩＢ）メッセージで有効なサブフレームパターンを送信するようにさらに設定される、態様２３に記載のネットワークノード（３００）。
省略語  説明
ＮＢ  狭帯域
ＮＢ−ＩｏＴ  狭帯域モノのインターネット
ＭＴＣ  マシンタイプ通信
ＰＳＳ  １次同期シーケンス
ＳＳＳ  ２次同期シーケンス
ＳＩＭ  加入者識別モジュール
ＣＲＣ  巡回冗長検査
ＮＰＳＳ  ＮＢ−ＩｏＴ１次同期シーケンス
ＮＳＳＳ  ＮＢ−ＩｏＴ２次同期シーケンス
ＬＴＥ  Ｌｏｎｇ  Ｔｅｒｍ  Ｅｖｏｌｕｔｉｏｎ
ＤＦＴ  離散フーリエ変換
ＩＦＦＴ  逆高速フーリエ変換
ＣＲＳ  セル固有参照信号
ＰＤＣＣＨ  物理ダウンリンク制御チャネル
ＣＰ  巡回プレフィックス
ＦＤＤ  周波数分割複信
ＴＤＤ  時分割複信
ＮＰＢＣＨ  ＮＢ−ＩｏＴ物理ブロードキャストチャネル
ＳＮＲ  信号対雑音比
ＯＦＤＭ  直交周波数分割多重
ＺＣ  Ｚａｄｏｆｆ−Ｃｈｕ（ザドフ−チュー）
ＣＳＳ  共通検索スペース
ＵＳＳ  ＵＥ固有検索スペース
ＰＲＢ  物理リソースブロック
ＤＬ  ダウンリンク
ＵＬ  アップリンク
【国際調査報告】
2019512956.tif 000016
2019512956.tif 000017